(57)【要約】  本開示は、ダウンリンクビーム訓練方法および装置を提供する。第２機器側の伝送方法は、第１機器から送信されるダウンリンク受信ビーム訓練トリガー通知メッセージを受信するステップと、前記ダウンリンク受信ビーム訓練トリガー通知メッセージに基づいて、前記第１機器から送信されるダウンリンク受信ビーム訓練信号を受信してダウンリンク受信ビーム訓練を行うステップとを含む。第１機器側の送信方法は、第２機器に対しダウンリンク受信ビーム訓練を行うと特定した後に、ダウンリンク受信ビーム訓練トリガー通知メッセージを第２機器に送信するステップと、ダウンリンク受信ビーム訓練トリガー通知メッセージを第２機器に送信した後に、ダウンリンク受信ビーム訓練信号を第２機器に送信するステップとを含む。【選択図】  図４
2019525610.tif 000002
【特許請求の範囲】
【請求項１】
第１機器から送信されるダウンリンク受信ビーム訓練トリガー通知メッセージを受信するステップと、
前記ダウンリンク受信ビーム訓練トリガー通知メッセージに基づいて、前記第１機器から送信されるダウンリンク受信ビーム訓練信号を受信するステップと、
前記ダウンリンク受信ビーム訓練信号に基づいて、ダウンリンク受信ビームの訓練を行うステップとを含むダウンリンク受信ビーム訓練信号伝送方法。
【請求項２】
前記第１機器から送信される前記ダウンリンク受信ビーム訓練トリガー通知メッセージを受信する前に、
前記第１機器にダウンリンク受信ビーム訓練要求メッセージを送信するステップをさらに含む請求項１に記載のダウンリンク受信ビーム訓練信号伝送方法。
【請求項３】
前記ダウンリンク受信ビーム訓練トリガー通知メッセージに基づいて、前記第１機器から送信される前記ダウンリンク受信ビーム訓練信号を受信するステップの前に、
第２機器のダウンリンク受信ビームの数または訓練すべきダウンリンク受信ビームの数を前記第１機器に送信するステップをさらに含む請求項１に記載のダウンリンク受信ビーム訓練信号伝送方法。
【請求項４】
前記第１機器から第２機器に送信される前記ダウンリンク受信ビーム訓練トリガー通知メッセージを受信するステップは、
ダウンリンク制御情報ＤＣＩまたは専用のトリガーシグナリングによって、前記第１機器から送信される前記ダウンリンク受信ビーム訓練トリガー通知メッセージを受信することを含む請求項１に記載のダウンリンク受信ビーム訓練信号伝送方法。
【請求項５】
前記ダウンリンク受信ビーム訓練トリガー通知メッセージは、
前記ダウンリンク受信ビーム訓練信号が存在するかの指示情報、および／または、前記ダウンリンク受信ビーム訓練信号の時間／周波数位置を含む請求項１に記載のダウンリンク受信ビーム訓練信号伝送方法。
【請求項６】
前記ダウンリンク受信ビーム訓練トリガー通知メッセージに基づいて、前記第１機器から送信される前記ダウンリンク受信ビーム訓練信号を受信するステップは、
前記ダウンリンク受信ビーム訓練トリガー通知メッセージに基づいて、前記第１機器によって特定されたダウンリンク送信ビームで送信される前記ダウンリンク受信ビーム訓練信号を前記第１機器から受信することを含む請求項１に記載のダウンリンク受信ビーム訓練信号伝送方法。
【請求項７】
前記ダウンリンク受信ビーム訓練トリガー通知メッセージに基づいて、前記第１機器によって特定されたダウンリンク送信ビームで送信される前記ダウンリンク受信ビーム訓練信号を前記第１機器から受信する前に、
前記第１機器のダウンリンク送信ビームの訓練結果情報を前記第１機器に報告することをさらに含む請求項６に記載のダウンリンク受信ビーム訓練信号伝送方法。
【請求項８】
前記訓練結果情報は、第２機器に薦められる前記第１機器のダウンリンク送信ビームの識別子、および／または、第２機器によって測定した前記第１機器のダウンリンク送信ビーム訓練信号強度情報を含む請求項７に記載のダウンリンク受信ビーム訓練信号伝送方法。
【請求項９】
前記ダウンリンク受信ビーム訓練トリガー通知メッセージに基づいて、前記第１機器から送信される前記ダウンリンク受信ビーム訓練信号を受信するステップは、
前記ダウンリンク受信ビーム訓練トリガー通知メッセージ、および、前記ダウンリンク受信ビーム訓練信号のサブフレームにおける時間／周波数位置に基づいて、前記第１機器から送信される前記ダウンリンク受信ビーム訓練信号を受信することを含む請求項１に記載のダウンリンク受信ビーム訓練信号伝送方法。
【請求項１０】
前記ダウンリンク受信ビーム訓練信号のサブフレームにおける時間／周波数位置は、第２機器と前記第１機器によって取り決められ、または、前記第１機器によって特定される請求項９に記載のダウンリンク受信ビーム訓練信号伝送方法。
【請求項１１】
前記ダウンリンク受信ビーム訓練信号に基づいて、ダウンリンク受信ビームの訓練を行うステップは、
前記ダウンリンク受信ビーム訓練信号に基づいて、前記ダウンリンク受信ビーム訓練トリガー通知メッセージの発効後にダウンリンク受信ビームの訓練を行い、前記第１機器から送信されるダウンリンクデータを受信することに用いられるダウンリンク受信ビームを特定するステップを含む請求項１に記載のダウンリンク受信ビーム訓練信号伝送方法。
【請求項１２】
前記ダウンリンク受信ビーム訓練トリガー通知メッセージの発効時点は、
前記ダウンリンク受信ビーム訓練トリガー通知メッセージの受信時点に、第２機器と前記第１機器によって取り決められまたは前記第１機器によって特定される時間間隔を加えた時点である請求項１１に記載のダウンリンク受信ビーム訓練信号伝送方法。
【請求項１３】
前記第１機器から送信されるダウンリンクデータを受信することに用いられるダウンリンク受信ビームを特定するステップは、
異なるダウンリンク受信ビームで前記ダウンリンク受信ビーム訓練信号を受信し、最大受信信号電力のダウンリンク受信ビームを、前記第１機器から送信されるダウンリンクデータを受信することに用いられるダウンリンク受信ビームとして選択すること、または、
異なるダウンリンク受信ビームで前記ダウンリンク受信ビーム訓練信号を受信してチャネル推定を行い、チャネル推定結果に基づいて、最大受信信号電力のダウンリンク受信ビームを、前記第１機器から送信されるダウンリンクデータを受信することに用いられるダウンリンク受信ビームとして選択することを含む請求項１１に記載のダウンリンク受信ビーム訓練信号伝送方法。
【請求項１４】
前記第１機器から送信されるダウンリンクデータを受信することに用いられるダウンリンク受信ビームを特定した後に、
特定済みの前記ダウンリンク受信ビームを用いて、前記第１機器から送信されるダウンリンクデータを受信することをさらに含む請求項１１に記載のダウンリンク受信ビーム訓練信号伝送方法。
【請求項１５】
第１機器から送信されるダウンリンク受信ビーム訓練トリガー通知メッセージを受信することに用いられる受信モジュールと、
前記ダウンリンク受信ビーム訓練トリガー通知メッセージに基づいて、前記第１機器から送信されるダウンリンク受信ビーム訓練信号を受信し、前記ダウンリンク受信ビーム訓練信号に基づいて、ダウンリンク受信ビームの訓練を行うことに用いられる訓練モジュールとを含むダウンリンク受信ビーム訓練信号伝送装置。
【請求項１６】
前記第１機器にダウンリンク受信ビーム訓練要求メッセージを送信することに用いられる第１送信モジュールをさらに含む請求項１５に記載のダウンリンク受信ビーム訓練信号伝送装置。
【請求項１７】
第２機器のダウンリンク受信ビームの数または訓練すべきダウンリンク受信ビームの数を前記第１機器に送信することに用いられる第２送信モジュールをさらに含む請求項１５に記載のダウンリンク受信ビーム訓練信号伝送装置。
【請求項１８】
ダウンリンク受信ビーム訓練トリガー通知メッセージを第２機器に送信するステップと、
前記第２機器にダウンリンク受信ビーム訓練信号を送信するステップを含み、
前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられるダウンリンク受信ビーム訓練信号伝送方法。
【請求項１９】
前記ダウンリンク受信ビーム訓練トリガー通知メッセージを第２機器に送信する前に、
前記第２機器から送信されるダウンリンク受信ビーム訓練要求メッセージを受信することをさらに含む請求項１８に記載のダウンリンク受信ビーム訓練信号伝送方法。
【請求項２０】
前記第２機器に前記ダウンリンク受信ビーム訓練信号を送信する前に、
前記第２機器から送信されるダウンリンク受信ビームの数または訓練すべきダウンリンク受信ビームの数を受信することをさらに含む請求項１８に記載のダウンリンク受信ビーム訓練信号伝送方法。
【請求項２１】
前記ダウンリンク受信ビーム訓練トリガー通知メッセージを前記第２機器に送信するステップは、
ダウンリンク制御情報ＤＣＩまたは専用のシグナリングによって、前記第２機器に前記ダウンリンク受信ビーム訓練トリガー通知メッセージを送信することを含む請求項１８に記載のダウンリンク受信ビーム訓練信号伝送方法。
【請求項２２】
前記ダウンリンク受信ビーム訓練トリガー通知メッセージは、
前記ダウンリンク受信ビーム訓練信号が存在するかの指示情報、および／または、前記ダウンリンク受信ビーム訓練信号の時間／周波数位置を含む請求項１８に記載のダウンリンク受信ビーム訓練信号伝送方法。
【請求項２３】
前記第２機器に前記ダウンリンク受信ビーム訓練信号を送信するステップは、
前記ダウンリンク受信ビーム訓練信号に用いられるダウンリンク送信ビームを特定するステップと、
前記ダウンリンク送信ビームのビームフォーミング重み値を用いて前記ダウンリンク受信ビーム訓練信号をフォーミングした後に、前記第２機器に前記ダウンリンク受信ビーム訓練信号を送信するステップとを含む請求項１８に記載のダウンリンク受信ビーム訓練信号伝送方法。
【請求項２４】
前記ダウンリンク受信ビーム訓練信号に用いられる前記ダウンリンク送信ビームを特定するステップは、
前記第２機器から報告される第１機器のダウンリンク送信ビームの訓練結果情報を受信することと、
前記訓練結果情報に基づいて、前記ダウンリンク受信ビーム訓練信号の送信に用いられる前記ダウンリンク送信ビームを特定することとを含む請求項２３に記載のダウンリンク受信ビーム訓練信号伝送方法。
【請求項２５】
前記訓練結果情報は、前記第２機器に薦められる前記第１機器のダウンリンク送信ビームの識別子、および／または、第２機器によって測定した前記第１機器のダウンリンク送信ビーム訓練信号強度情報を含む請求項２４に記載のダウンリンク受信ビーム訓練信号伝送方法。
【請求項２６】
前記ダウンリンク受信ビーム訓練信号に用いられるダウンリンク送信ビームは、第１機器からダウンリンクデータを前記第２機器に送信するダウンリンク送信ビームとは同じである請求項２３に記載のダウンリンク受信ビーム訓練信号伝送方法。
【請求項２７】
前記第２機器に送信される前記ダウンリンク受信ビーム訓練信号のサブフレームにおける時間／周波数位置は、前記第２機器と第１機器によって取り決められ、または、第１機器によって特定される請求項１８に記載のダウンリンク受信ビーム訓練信号伝送方法。
【請求項２８】
前記第２機器に送信される前記ダウンリンク受信ビーム訓練信号のサブフレームにおける時間／周波数位置が前記第１機器によって特定される場合、前記第１機器から第２機器に前記時間／周波数位置通知メッセージを送信する請求項２７に記載のダウンリンク受信ビーム訓練信号伝送方法。
【請求項２９】
前記第２機器に前記ダウンリンク受信ビーム訓練信号を送信する時点は、
前記ダウンリンク受信ビーム訓練トリガー通知メッセージの送信時点に、前記第２機器と第１機器によって取り決められまたは第１機器によって特定される時間間隔を加えた時点である請求項１８に記載のダウンリンク受信ビーム訓練信号伝送方法。
【請求項３０】
前記時間間隔が前記第１機器によって特定される場合、前記第１機器から第２機器に時間間隔通知メッセージを送信する請求項２９に記載のダウンリンク受信ビーム訓練信号伝送方法。
【請求項３１】
ダウンリンク受信ビーム訓練トリガー通知メッセージを第２機器に送信することに用いられる第１送信モジュールと、
前記第２機器にダウンリンク受信ビーム訓練信号を送信することに用いられる第２送信モジュールとを含み、
前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられるダウンリンク受信ビーム訓練信号伝送装置。
【請求項３２】
前記第２機器から送信されるダウンリンク受信ビーム訓練要求メッセージを受信することに用いられる第１受信モジュールをさらに含む請求項３１に記載のダウンリンク受信ビーム訓練信号伝送装置。
【請求項３３】
前記第２機器から送信されるダウンリンク受信ビームの数または訓練すべきダウンリンク受信ビームの数を受信することに用いられる第２受信モジュールをさらに含む請求項３１に記載のダウンリンク受信ビーム訓練信号伝送装置。
【請求項３４】
受信機と、プロセッサと、メモリを含むダウンリンク受信ビーム訓練信号伝送装置において、
前記受信機は、第１機器から送信されるダウンリンク受信ビーム訓練トリガー通知メッセージを受信することに用いられ、
前記プロセッサは、前記メモリに格納されているプログラムとデータを実行することによって、前記ダウンリンク受信ビーム訓練トリガー通知メッセージに基づいて、前記第１機器から送信されるダウンリンク受信ビーム訓練信号を受信するように前記受信機をトリガーし、前記受信機で受信した前記ダウンリンク受信ビーム訓練信号に基づいて、ダウンリンク受信ビームの訓練を行うことに用いられるダウンリンク受信ビーム訓練信号伝送装置。
【請求項３５】
前記第１機器にダウンリンク受信ビーム訓練要求メッセージを送信することに用いられる送信機をさらに含む請求項３４に記載のダウンリンク受信ビーム訓練信号伝送装置。
【請求項３６】
送信機と、プロセッサと、メモリを含むダウンリンク受信ビーム訓練信号伝送装置において、
前記プロセッサは、前記メモリに格納されているプログラムとデータを実行することによって、ダウンリンク受信ビーム訓練トリガー通知メッセージとダウンリンク受信ビーム訓練信号を生成することに用いられ、
前記送信機は、第２機器にダウンリンク受信ビーム訓練トリガー通知メッセージを送信し、前記第２機器にダウンリンク受信ビーム訓練信号を送信することに用いられ、
ここで、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられるダウンリンク受信ビーム訓練信号伝送装置。
【請求項３７】
前記第２機器から送信されるダウンリンク受信ビーム訓練要求メッセージを受信することに用いられる受信機をさらに含む請求項３６に記載のダウンリンク受信ビーム訓練信号伝送装置。
【発明の詳細な説明】
【技術分野】
【０００１】
本願は、２０１６年８月１２日に中国特許庁に提出された中国特許出願２０１６１０６６５９５４．３の優先権を主張し、その全ての内容が援用によりここに取り込まれる。
本開示は、通信技術分野に係り、特にダウンリンク受信ビーム訓練信号伝送方法および装置に係る。
【背景技術】
【０００２】
ピークレートとシステムスペクトル利用率の向上へのＭＩＭＯ（マルチ入力マルチ出力）技術の重要な役割に鑑み、ＬＴＥ（登録商標）（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。
【０００３】
ＭＩＭＯ技術の性能ゲインがマルチアンテナシステムによる空間自由度から得られるため、次元の拡張は、ＭＩＭＯ技術の標準化における最も重要な改良方向である。
【０００４】
ＬＴＥ  Ｒｅｌ−８では、最多で４レイヤのＭＩＭＯ伝送がサポートされる。
【０００５】
Ｒｅｌ−９は、ＭＵ−ＭＩＭＯ技術の強化をポイントとする。ＴＭ（Ｔｒａｎｓｍｉｓｓｉｏｎ  Ｍｏｄｅ）−８のＭＵ−ＭＩＭＯ（Ｍｕｌｔｉ−Ｕｓｅｒ  ＭＩＭＯ）伝送では、最多で４つのダウンリンクデータレイヤがサポートされる。
【０００６】
Ｒｅｌ−１０では、８アンテナポートをサポートすることによって、チャネル状態情報の空間解像度をさらに向上させ、ＳＵ−ＭＩＭＯ（Ｓｉｎｇｌｅ−Ｕｓｅｒ  ＭＩＭＯ）の伝送力を最大で８つのデータレイヤまで拡張させる。
【０００７】
Ｒｅｌ−１３とＲｅｌ−１４では、ＦＤ−ＭＩＭＯ技術を導入して３２ポートまでサポートすることによって、全次元および垂直方向のビームフォーミングが実現される。
【０００８】
ビームフォーミングは、アンテナアレイに基づく信号前処理技術であり、アンテナアレイの各エレメントの重み係数を調整することによって指向性のあるビームを生成し、明らかなアレイゲインを取得することができる。したがって、ビームフォーミング技術は、カバレッジの拡大、エッジスループットの改善および干渉の抑止などにおいて大きな利点を有する。
【０００９】
ＭＩＭＯ技術をさらに向上させるために、移動通信システムには、大規模アンテナ技術が導入される。基地局において、オールデジタルの大規模アンテナは、１２８／２５６／５１２ものアンテナエレメント、および、１２８／２５６／５１２ものトランシーバを有し、各アンテナエレメントに１つのトランシーバが接続される。
【００１０】
アンテナエレメントは、アンテナ上の素子であり、ガイドおよび電磁波拡大の機能を有し、アンテナで受信した電磁信号をより強くする。アンテナエレメントは、導電性が優れた金属で作製される。エレメントは、棒状であったり複雑な構造であったりするが、通常、複数のエレメントがアンテナで平行に配列される。
【００１１】
１２８／２５６／５１２ものアンテナポートのパイロット信号を送信することによって、端末は、チャネル状態情報を測定してフィードバックする。
【００１２】
端末においても、３２／６４ものアンテナエレメントのアンテナアレイを配置してもよい。
【００１３】
基地局と端末の両側のビームフォーミングによって、大きなビームフォーミングゲインを取得し、パスロスによる信号減衰を補う。特に高周波通信の場合、たとえば３０ＧＨｚの周波数点において、無線信号のカバレッジは、パスロスによって大きく制限される。大規模アンテナ技術によって、無線信号のカバレッジを適用可能範囲に拡大させることができる。
【００１４】
オールデジタルのアンテナアレイにおいて、アンテナエレメント毎に独立なトランシーバがあるため、機器のサイズ、コストおよび電力損失が大幅に向上する。特にトランシーバのアナログデジタルコンバータ（ＡＤＣ）とデジタルアナログコンバータ（ＤＡＣ）の場合、ここ十年でその電力損失が１／１０程度しか低下していなく、性能の向上も限られている。
【００１５】
機器のサイズ、コストおよび電力損失を低下させるには、図１と図２に示すようなアナログビームフォーミングに基づく技術が提案されている。アナログビームフォーミングの主な特徴は、位相シフトによって中間周波数（図１）またはラジオ周波数信号（図２）に対し重み付けをしてフォーミングを行うことである。
【００１６】
Ｓ０信号（ベースバンド信号、すなわち中間周波数信号）は、デジタルアナログコンバータ（ＤＡＣ）を経て、位相シフタによって重み付けてフォーミングが行われ、パワーアンプ（ＰＡ）による電力増幅の後に送信される。
【００１７】
受信側のアンテナは、信号を受信すると、ＬＮＡ（Ｌｏｗ  Ｎｏｉｓｅ  Ａｍｐｌｉｆｉｅｒ）で増幅してから、位相シフタを経て重み付けてフォーミングを行い、アナログデジタルコンバータ（ＡＤＣ）に伝送して受信信号ｒ０を出力する。
【００１８】
その利点として、すべての送信（受信）アンテナに１つのトランシーバしか有しなく、具現されやすく、コスト、サイズおよび電力損失が低下する。
【００１９】
アナログビームフォーミングの性能をさらに向上させるには、図３に示すようなデジタルアナログ混合ビームフォーミングの送受信アーキテクチャが提案されている。
【００２０】
図３では、送信側と受信側にそれぞれＮＴＲＦ、ＮＲＲＦ個のトランシーバ（アンテナ）を有し、送信側アンテナエレメント数ＮＴ＞ＮＴＲＦであり、受信側アンテナエレメント数ＮＲ＞ＮＲＲＦであり、ビームフォーミングにサポートされる最大並行伝送ストリーム数がｍｉｎ（ＮＴＲＦ，ＮＲＲＦ）である。
【００２１】
図３の混合ビームフォーミング構造は、デジタルビームフォーミングの自由度とアナログビームフォーミングの低複雑度のバランスをとり、複数のデータストリームと複数のユーザの同時フォーミングが可能であり、同時に、複雑度も合理的な範囲にコントロールされている。
【００２２】
アナログビームフォーミングとデジタルアナログ混合ビームフォーミングのいずれも、送受信両側のアナログビームフォーミング重み値を調整する必要があり、それによって、形成されるビームは、通信の相手側に整合される。
【００２３】
ダウンリンク伝送の場合、基地局側から送信されるビームフォーミング重み値と端末側で受信するビームフォーミング重み値を調整する必要があるが、アップリンク伝送の場合、端末側から送信されるビームフォーミング重み値と基地局側で受信するビームフォーミング重み値を調整する必要がある。
【００２４】
関連技術の通信システムにおいて、効果的なビーム訓練方法がなく、性能が低下する。
【発明の概要】
【発明が解決しようとする課題】
【００２５】
本開示の解決しようとする課題は、ダウンリンク受信ビーム訓練信号伝送方法および装置を提供することによって、端末が基地局にトリガーされてダウンリンク受信ビーム訓練を行うことができることである。
【課題を解決するための手段】
【００２６】
上述した技術課題を解決するために、本開示の実施例のダウンリンク受信ビーム訓練信号伝送方法は、第１機器から送信されるダウンリンク受信ビーム訓練トリガー通知メッセージを受信するステップと、前記前記ダウンリンク受信ビーム訓練トリガー通知メッセージに基づいて、前記前記第１機器から送信されるダウンリンク受信ビーム訓練信号を受信するステップと、前記前記ダウンリンク受信ビーム訓練信号に基づいて、ダウンリンク受信ビームの訓練を行うステップとを含む。
【００２７】
第１機器から送信されるダウンリンク受信ビーム訓練トリガー通知メッセージを受信する前に、前記第１機器にダウンリンク受信ビーム訓練要求メッセージを送信するステップをさらに含む。
【００２８】
前記ダウンリンク受信ビーム訓練トリガー通知メッセージに基づいて、前記第１機器から送信されるダウンリンク受信ビーム訓練信号を受信するステップの前に、第２機器のダウンリンク受信ビームの数または訓練すべきダウンリンク受信ビームの数を前記第１機器に送信するステップをさらに含む。
【００２９】
第１機器から第２機器に送信されるダウンリンク受信ビーム訓練トリガー通知メッセージを受信するステップは、ダウンリンク制御情報ＤＣＩまたは専用のトリガーシグナリングによって、前記第１機器から送信される前記ダウンリンク受信ビーム訓練トリガー通知メッセージを受信することを含む。
【００３０】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含む。
【００３１】
前記ダウンリンク受信ビーム訓練トリガー通知メッセージに基づいて、前記第１機器から送信されるダウンリンク受信ビーム訓練信号を受信するステップは、前記ダウンリンク受信ビーム訓練トリガー通知メッセージに基づいて、前記第１機器によって特定されたダウンリンク送信ビームで送信されるダウンリンク受信ビーム訓練信号を前記第１機器から受信することを含む。
【００３２】
前記ダウンリンク受信ビーム訓練トリガー通知メッセージに基づいて、前記第１機器によって特定されたダウンリンク送信ビームで送信されるダウンリンク受信ビーム訓練信号を前記第１機器から受信する前に、前記第１機器のダウンリンク送信ビームの訓練結果情報を前記第１機器に報告することをさらに含む。
【００３３】
前記訓練結果情報は、第２機器に薦められる前記第１機器のダウンリンク送信ビームの識別子、および／または、第２機器によって測定した前記第１機器のダウンリンク送信ビーム訓練信号強度情報を含む。
【００３４】
前記ダウンリンク受信ビーム訓練トリガー通知メッセージに基づいて、前記第１機器から送信されるダウンリンク受信ビーム訓練信号を受信するステップは、前記ダウンリンク受信ビーム訓練トリガー通知メッセージ、および、前記ダウンリンク受信ビーム訓練信号のサブフレームにおける時間／周波数位置に基づいて、前記第１機器から送信されるダウンリンク受信ビーム訓練信号を受信することを含む。
【００３５】
前記ダウンリンク受信ビーム訓練信号のサブフレームにおける時間／周波数位置は、第２機器と前記第１機器によって取り決められ、または、前記第１機器によって特定される。前記ダウンリンク受信ビーム訓練信号に基づいて、ダウンリンク受信ビームの訓練を行うステップは、前記ダウンリンク受信ビーム訓練信号に基づいて、ダウンリンク受信ビーム訓練トリガー通知メッセージの発効後にダウンリンク受信ビームの訓練を行い、前記第１機器から送信されるダウンリンクデータを受信することに用いられるダウンリンク受信ビームを特定するステップを含む。
【００３６】
前記ダウンリンク受信ビーム訓練トリガー通知メッセージの発効時点は、前記ダウンリンク受信ビーム訓練トリガー通知メッセージの受信時点に、第２機器と前記第１機器によって取り決められまたは前記第１機器によって特定される時間間隔を加えた時点である。
【００３７】
前記第１機器から送信されるダウンリンクデータを受信することに用いられるダウンリンク受信ビームを特定するステップは、異なるダウンリンク受信ビームでダウンリンク受信ビーム訓練信号を受信し、最大受信信号電力のダウンリンク受信ビームを、前記第１機器から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記第１機器から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、第１機器から送信されるダウンリンクデータを受信することに用いられるダウンリンク受信ビームとすることを含む。
【００３８】
前記第１機器から送信されるダウンリンクデータを受信することに用いられるダウンリンク受信ビームを特定した後に、特定済みの前記ダウンリンク受信ビームを用いて、前記第１機器から送信されるダウンリンクデータを受信することをさらに含む。
【００３９】
本開示の実施例のダウンリンク受信ビーム訓練信号伝送装置は、第１機器から送信されるダウンリンク受信ビーム訓練トリガー通知メッセージを受信することに用いられる受信モジュールと、前記ダウンリンク受信ビーム訓練トリガー通知メッセージに基づいて、前記第１機器から送信されるダウンリンク受信ビーム訓練信号を受信し、前記ダウンリンク受信ビーム訓練信号に基づいて、ダウンリンク受信ビームの訓練を行うことに用いられる訓練モジュールとを含む。
【００４０】
ダウンリンク受信ビーム訓練信号伝送装置は、前記第１機器にダウンリンク受信ビーム訓練要求メッセージを送信することに用いられる第１送信モジュールをさらに含む。
【００４１】
ダウンリンク受信ビーム訓練信号伝送装置は、第２機器のダウンリンク受信ビームの数または訓練すべきダウンリンク受信ビームの数を前記第１機器に送信することに用いられる第２送信モジュールをさらに含む。
【００４２】
本開示の実施例のダウンリンク受信ビーム訓練信号伝送方法は、ダウンリンク受信ビーム訓練トリガー通知メッセージを第２機器に送信するステップと、前記第２機器にダウンリンク受信ビーム訓練信号を送信するステップを含み、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００４３】
ダウンリンク受信ビーム訓練トリガー通知メッセージを第２機器に送信する前に、前記第２機器から送信されるダウンリンク受信ビーム訓練要求メッセージを受信することをさらに含む。
【００４４】
第２機器にダウンリンク受信ビーム訓練信号を送信する前に、前記第２機器から送信されるダウンリンク受信ビームの数または訓練すべきダウンリンク受信ビームの数を受信することをさらに含む。
【００４５】
ダウンリンク受信ビーム訓練トリガー通知メッセージを第２機器に送信するステップは、ダウンリンク制御情報ＤＣＩまたは専用のシグナリングによって、前記第２機器に前記ダウンリンク受信ビーム訓練トリガー通知メッセージを送信することを含む。
【００４６】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含む。
【００４７】
第２機器にダウンリンク受信ビーム訓練信号を送信するステップは、ダウンリンク受信ビーム訓練信号に用いられるダウンリンク送信ビームを特定するステップと、前記ダウンリンク送信ビームのビームフォーミング重み値を用いて前記ダウンリンク受信ビーム訓練信号をフォーミングした後に、前記第２機器に前記ダウンリンク受信ビーム訓練信号を送信するステップとを含む。
【００４８】
ダウンリンク受信ビーム訓練信号に用いられるダウンリンク送信ビームを特定するステップは、前記第２機器から報告される第１機器のダウンリンク送信ビームの訓練結果情報を受信することと、前記訓練結果情報に基づいて、前記ダウンリンク受信ビーム訓練信号の送信に用いられる前記ダウンリンク送信ビームを特定することとを含む。
【００４９】
前記訓練結果情報は、前記第２機器に薦められる前記第１機器のダウンリンク送信ビームの識別子、および／または、第２機器によって測定した前記第１機器のダウンリンク送信ビーム訓練信号強度情報を含む。
【００５０】
前記ダウンリンク受信ビーム訓練信号に用いられるダウンリンク送信ビームは、前記第１機器からダウンリンクデータを前記第２機器に送信するダウンリンク送信ビームとは同じである。
【００５１】
前記第２機器に送信されるダウンリンク受信ビーム訓練信号のサブフレームにおける時間／周波数位置は、前記第２機器と第１機器によって取り決められ、または、第１機器によって特定される。
【００５２】
前記第２機器に送信されるダウンリンク受信ビーム訓練信号のサブフレームにおける時間／周波数位置が前記第１機器によって特定される場合、前記第１機器から第２機器に前記時間／周波数位置通知メッセージを送信する。
【００５３】
前記第２機器にダウンリンク受信ビーム訓練信号を送信する時点は、ダウンリンク受信ビーム訓練トリガー通知メッセージの送信時点に、前記第２機器と第１機器によって取り決められまたは第１機器によって特定される時間間隔を加えた時点である。
【００５４】
前記時間間隔が前記第１機器によって特定される場合、  前記第１機器から第２機器に前記時間間隔通知メッセージを送信する。
【００５５】
本開示の実施例のダウンリンク受信ビーム訓練信号伝送装置は、ダウンリンク受信ビーム訓練トリガー通知メッセージを第２機器に送信することに用いられる第１送信モジュールと、前記第２機器にダウンリンク受信ビーム訓練信号を送信することに用いられる第２送信モジュールとを含み、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００５６】
ダウンリンク受信ビーム訓練信号伝送装置は、前記第２機器から送信されるダウンリンク受信ビーム訓練要求メッセージを受信することに用いられる第１受信モジュールをさらに含む。
【００５７】
ダウンリンク受信ビーム訓練信号伝送装置は、前記第２機器から送信されるダウンリンク受信ビームの数または訓練すべきダウンリンク受信ビームの数を受信することに用いられる第２受信モジュールをさらに含む。
【００５８】
本開示の実施例のダウンリンク受信ビーム訓練信号伝送装置は、受信機と、プロセッサと、メモリを含む。前記受信機は、第１機器から送信されるダウンリンク受信ビーム訓練トリガー通知メッセージを受信することに用いられる。前記プロセッサは、前記メモリに格納されているプログラムとデータを実行することによって、前記ダウンリンク受信ビーム訓練トリガー通知メッセージに基づいて、前記第１機器から送信されるダウンリンク受信ビーム訓練信号を受信するように前記受信機をトリガーし、前記受信機で受信した前記ダウンリンク受信ビーム訓練信号に基づいて、ダウンリンク受信ビームの訓練を行うことに用いられる。
【００５９】
選択可能に、当該ダウンリンク受信ビーム訓練信号伝送装置は、前記第１機器にダウンリンク受信ビーム訓練要求メッセージを送信することに用いられる送信機をさらに含む。
【００６０】
本開示の実施例のダウンリンク受信ビーム訓練信号伝送装置は、送信機と、プロセッサと、メモリを含む。前記プロセッサは、前記メモリに格納されているプログラムとデータを実行することによって、ダウンリンク受信ビーム訓練トリガー通知メッセージとダウンリンク受信ビーム訓練信号を生成することに用いられる。前記送信機は、第２機器にダウンリンク受信ビーム訓練トリガー通知メッセージを送信し、前記第２機器にダウンリンク受信ビーム訓練信号を送信することに用いられる。ここで、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００６１】
選択可能に、当該ダウンリンク受信ビーム訓練信号伝送装置は、前記第２機器から送信されるダウンリンク受信ビーム訓練要求メッセージを受信することに用いられる受信機をさらに含む。
【発明の効果】
【００６２】
本開示の実施例において、第１機器から送信されるダウンリンク受信ビーム訓練トリガー通知メッセージを受信し、前記ダウンリンク受信ビーム訓練トリガー通知メッセージに基づいて、前記第１機器から送信されるダウンリンク受信ビーム訓練信号を受信してダウンリンク受信ビーム訓練を行う。当該第１機器は、基地局であり、第２機器は、端末である。よって、端末は、基地局のトリガーメカニズムに基づいて、ダウンリンクビーム訓練を行う。
【図面の簡単な説明】
【００６３】
【図１】図１は、アナログビームフォーミングによって中間周波数（ベースバンド）信号を重み付けてフォーミングすることを示す。
【図２】図２は、アナログビームフォーミングによってラジオ周波数信号を重み付けてフォーミングすることを示す。
【図３】図３は、デジタルアナログ混合ビームフォーミングを示す。
【図４】図４は、本開示の端末側の実施例１のダウンリンク受信ビーム訓練信号伝送方法のフローチャートである。
【図５】図５は、本開示の端末側の実施例２のダウンリンク受信ビーム訓練信号伝送方法のフローチャートである。
【図６】図６は、本開示の端末側の実施例３のダウンリンク受信ビーム訓練信号伝送方法のフローチャートである。
【図７】図７は、端末がダウンリンク受信ビーム訓練トリガー通知メッセージとダウンリンク受信ビーム訓練信号を受信する典型例を示す。
【図８】図８は、端末がダウンリンク受信ビーム訓練トリガー通知メッセージとダウンリンク受信ビーム訓練信号を受信する別の典型例を示す。
【図９】図９は、本開示の端末のアーキテクチャを示す。
【図１０】図１０は、本開示の基地局側のダウンリンク受信ビーム訓練信号伝送方法のフローチャートである。
【発明を実施するための形態】
【００６４】
本開示の解決しようとする技術課題、技術手段および利点をより明確にするために、以下図面および具体的な実施例に関連して詳細に記載する。
【００６５】
本開示の実施例において、第１機器は、基地局または他のタイプの伝送ポイント機器であり、第２機器は、端末機器（または端末）であるが、もちろん、上記２種類の機器に限定されない。例えば、送信機器（例えば第１機器）は、他の端末に対する設定処理が可能な端末であってもよい。
【００６６】
基地局は、ＬＴＥシステムまたはその改良システムの改良型基地局ｅＮＢ（またはｅ−ＮｏｄｅＢ（Ｅｖｏｌｕｔｉｏｎａｌ  Ｎｏｄｅ  Ｂ））、マクロ基地局、マイクロ基地局（スモール基地局とも称される）、ピコ基地局、アクセスポイント（ＡＰ）（Ａｃｃｅｓｓ  Ｐｏｉｎｔ）または伝送ポイント（ＴＲＰ）（Ｔｒａｎｓｍｉｔ  ｏｒ  ｒｅｃｅｉｖｅ  ｐｏｉｎｔ）などであり、将来のネットワークにおける基地局であってもよく、例えば、５Ｇネットワークの基地局である。
【００６７】
端末は、ユーザ機器（ＵＥ）（Ｕｓｅｒ  Ｅｑｕｉｐｍｅｎｔ）、または、ターミナル（Ｔｅｒｍｉｎａｌ）、モバイルステーション（ＭＳ）（Ｍｏｂｉｌｅ  Ｓｔａｔｉｏｎ）、移動端末（Ｍｏｂｉｌｅ  Ｔｅｒｍｉｎａｌ）などと称される。当該端末は、無線アクセスネットワーク（ＲＡＮ）（Ｒａｄｉｏ  Ａｃｃｅｓｓ  Ｎｅｔｗｏｒｋ）を介して１つまたは複数のコアネットワークと通信可能である。例えば、端末は、移動電話（またはセルラー電話という）、移動端末を有するコンピュータなどであってもよい。例えば、端末は、携帯式、ポータブル式、ハンドヘルド式、コンピュータ内蔵型または車載型の移動装置であり、無線アクセスネットワークとの間で音声および／またはデータのやり取りをする。
【００６８】
なお、本開示の実施例において、ダウンリンクデータは、通信システムでのＰＤＳＣＨなどのチャネルにて運ばれるダウンリンクデータに限定されない。基地局から送信されるすべてのありうるダウンリンク信号であってもよく、ダウンリンクデータ信号またはダウンリンク制御信号などが含まれる。
【００６９】
本開示の実施例の端末は、Ｄ２Ｄ（Ｄｅｖｉｃｅ  ｔｏ  Ｄｅｖｉｃｅ）端末またはＭ２Ｍ（Ｍａｃｈｉｎｅ  ｔｏ  Ｍａｃｈｉｎｅ）端末であってもよい。
【００７０】
記載しやすくするために、以下の実施例は、基地局を第１機器、端末を第２機器とする例で説明する。
実施例１
【００７１】
図４に示すように、本開示の実施例１のダウンリンク受信ビーム訓練信号伝送方法は、下記ステップを含む。
【００７２】
ステップ４１において、基地局から送信されるダウンリンク受信ビーム訓練トリガー通知メッセージを受信する。
【００７３】
具体的に、ダウンリンク制御情報（ＤＣＩ）または専用のトリガーシグナリングまたは他の情報ブロックによって、基地局から送信されるダウンリンク受信ビーム訓練トリガー通知メッセージを受信する。当該ＤＣＩは、アップリンクアクセス許可ＤＣＩであってもよく、ダウンリンクアクセス許可ＤＣＩであってもよい。
【００７４】
また、ダウンリンク受信ビームトリガー通知メッセージは、Ａ）ダウンリンク受信ビーム訓練信号が存在するかの指示情報、および／または、Ｂ）ダウンリンク受信訓練信号の時間／周波数位置を含むが、それらに限定されない。Ｂ）の場合、例えば、占用されるＯＦＤＭシンボル、開始時間などである。
【００７５】
ステップ４２において、前記ダウンリンク受信ビーム訓練トリガー通知メッセージに基づいて、前記基地局から送信されるダウンリンク受信ビーム訓練信号を受信し、ダウンリンク受信ビーム訓練を行う。
【００７６】
具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信する。さらに、ダウンリンク受信ビーム訓練信号は、ダウンリンク送信ビームのビームフォーミング重み値でフォーミングした後に送信される。
【００７７】
当該基地局のダウンリンク送信ビームは、下記方式で特定される。すなわち、基地局は、端末から前記基地局に報告される前記基地局のダウンリンク送信ビームの訓練結果情報に基づいて特定する。前記訓練結果情報は、端末に薦められる前記基地局のダウンリンク送信ビームの識別子、および／または、端末によって測定した前記基地局のダウンリンク送信ビーム訓練信号強度情報を含む。
【００７８】
例えば、基地局は、端末から報告され、端末に薦められるダウンリンク送信ビームの一部またはすべてを、ダウンリンク送信ビームとして特定する。
【００７９】
また、例えば、基地局は、端末から報告されるダウンリンク送信ビーム訓練結果情報に基づいて、当該端末への１つまたは複数のビームを特定する。
【００８０】
ダウンリンク送信ビームは、端末に薦められるダウンリンク送信ビームの角度範囲、または、端末に薦められるダウンリンク送信ビームよりわずかに低い角度範囲などを含む。
【００８１】
端末から報告される前記基地局のダウンリンク送信ビームの訓練結果情報は、薦められるダウンリンク送信ビームの識別子、例えばダウンリンク送信ビームの番号を含み、さらに、端末が受信したダウンリンク送信ビーム訓練信号強度情報、例えば受信信号電力レベルなどを含む。
【００８２】
ここで、ダウンリンク受信ビーム訓練を行うステップは、さらに、第２機器が、訓練されるダウンリンク受信ビームでＡＧＣ（自動ゲイン制御）の調整を行うことを含む。
【００８３】
本開示の実施例において、基地局から送信されるダウンリンク受信ビーム訓練トリガー通知メッセージを受信し、前記ダウンリンク受信ビーム訓練トリガー通知メッセージに基づいて、前記基地局から送信されるダウンリンク受信ビーム訓練信号を受信してダウンリンク受信ビーム訓練を行う。よって、端末は、基地局のトリガーメカニズムに基づいて、ダウンリンクビーム訓練を行う。
実施例２
【００８４】
図５に示すように、本開示の実施例２のダウンリンク受信ビーム訓練信号伝送方法は、下記ステップを含む。
【００８５】
ステップ５１において、基地局にダウンリンク受信ビーム訓練要求メッセージを送信する。端末は、端末のダウンリンク受信ビームの数または訓練すべきダウンリンク受信ビームの数を前記基地局に送信する。基地局は、当該ダウンリンク受信ビームの数または訓練すべきダウンリンク受信ビームの数に基づいて、ダウンリンク受信ビーム訓練信号の数を特定する。ここで、端末は、ダウンリンク受信ビーム訓練要求メッセージを基地局に送信すると同時に、端末のダウンリンク受信ビームの数または訓練すべきダウンリンク受信ビームの数を前記基地局に送信してもよく、ダウンリンク受信ビーム訓練要求メッセージのみを基地局に送信してもよく、端末のダウンリンク受信ビームの数または訓練すべきダウンリンク受信ビームの数のみを基地局に送信してもよい。
【００８６】
ステップ５２において、前記基地局から前記ダウンリンク受信ビーム訓練要求メッセージに基づいて送信されるダウンリンク受信ビーム訓練トリガー通知メッセージを受信する。
【００８７】
具体的に、ダウンリンク制御情報（ＤＣＩ）または専用のトリガーシグナリングまたは他の情報ブロックによって、基地局から端末に送信されるダウンリンク受信ビーム訓練トリガー通知メッセージを受信する。当該ＤＣＩは、アップリンクアクセス許可ＤＣＩであってもよく、ダウンリンクアクセス許可ＤＣＩであってもよい。
【００８８】
また、ダウンリンク受信ビームトリガー通知メッセージは、Ａ）ダウンリンク受信ビーム訓練信号が存在するかの指示情報、および／または、Ｂ）ダウンリンク受信訓練信号の時間／周波数位置を含むが、それらに限定されない。Ｂ）の場合、例えば、占用されるＯＦＤＭシンボル、開始時間などである。
【００８９】
ステップ５３において、前記ダウンリンク受信ビーム訓練トリガー通知メッセージに基づいて、前記基地局から送信されるダウンリンク受信ビーム訓練信号を受信し、ダウンリンク受信ビーム訓練を行う。
【００９０】
ここで、ダウンリンク受信ビーム訓練を行うステップは、さらに、第２機器が、訓練されるダウンリンク受信ビームでＡＧＣ（自動ゲイン制御）の調整を行うことを含む。
【００９１】
具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信する。さらに、ダウンリンク受信ビーム訓練信号は、ダウンリンク送信ビームのビームフォーミング重み値でフォーミングした後に送信される。
【００９２】
当該基地局のダウンリンク送信ビームは、下記方式で特定される。すなわち、基地局は、端末から前記基地局に報告される前記基地局のダウンリンク送信ビームの訓練結果情報に基づいて特定する。前記訓練結果情報は、端末に薦められる前記基地局のダウンリンク送信ビームの識別子、および／または、端末によって測定した前記基地局のダウンリンク送信ビーム訓練信号強度情報を含む。
【００９３】
例えば、基地局は、端末から報告され、端末に薦められるダウンリンク送信ビームの一部またはすべてを、ダウンリンク送信ビームとして特定する。
【００９４】
また、例えば、基地局は、１つまたは複数の端末から報告されるダウンリンク送信ビーム訓練結果情報に基づいて、当該１つまたは複数の端末への１つまたは複数のビームを特定する。
【００９５】
ダウンリンク送信ビームは、端末に薦められるダウンリンク送信ビームの角度範囲、または、端末に薦められるダウンリンク送信ビームよりわずかに低い角度範囲などを含む。
【００９６】
端末から報告されるダウンリンク送信ビームに関する情報は、薦められるダウンリンク送信ビームの識別子、例えばダウンリンク送信ビームの番号を含み、さらに、端末が受信したダウンリンク送信ビーム訓練信号強度情報、例えば受信信号電力レベルなどを含む。
【００９７】
上記実施例１と実施利２において、端末は、前記ダウンリンク受信ビーム訓練トリガー通知メッセージおよび前記ダウンリンク受信ビーム訓練信号のサブフレームにおける時間／周波数位置に基づいて、基地局から送信されるダウンリンク受信ビーム訓練信号を受信することができる。
【００９８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【００９９】
ここでダウンリンク受信ビーム訓練信号のサブフレームにおける時間／周波数位置は、端末と基地局によって取り決められ、または基地局によって特定される。
【０１００】
１つの実現形態として、ＯＦＤＭに基づくシステムにおいて、ダウンリンク受信ビーム訓練信号は、各サブフレームの前からＭ個のＯＦＤＭシンボルで伝送される。Ｍの値は、端末と基地局によって取り決められ、または基地局によって特定される。
【０１０１】
ダウンリンク受信ビーム訓練信号のサブフレームにおける時間／周波数位置が基地局によって特定される場合、基地局は、前記時間／周波数位置通知メッセージを端末に送信する。たとえば、基地局、ＤＣＩに運ばせたり、ダウンリンク受信ビーム訓練トリガーメッセージに運ばせたり、専用の時間／周波数位置通知シグナリングに運ばせたり、ほかのダウンリンクシグナリングに運ばせたりする。端末は、前記メッセージまたはシグナリングによって、ダウンリンク受信ビーム訓練信号のサブフレームにおける時間／周波数位置を取得する。
【０１０２】
本開示の当該実施例は、ダウンリンク受信ビーム訓練要求メッセージを基地局に送信し、基地局から端末に送信されるダウンリンク受信ビーム訓練トリガー通知メッセージを受信し、前記ダウンリンク受信ビーム訓練トリガー通知メッセージに基づいて、基地局から送信されるダウンリンク受信ビーム訓練信号を受信する。よって、端末は、基地局のトリガーメカニズムに基づいて、ダウンリンクビーム訓練を行う。
実施例３
【０１０３】
図６に示すように、本開示の実施例３のダウンリンク受信ビーム訓練信号伝送方法は、下記ステップを含む。
【０１０４】
ステップ６１において、基地局にダウンリンク受信ビーム訓練要求メッセージを送信する。当該ステップは、選択的に行われる。端末は、端末のダウンリンク受信ビームの数または訓練すべきダウンリンク受信ビームの数を前記基地局に送信する。基地局は、当該ダウンリンク受信ビームの数または訓練すべきダウンリンク受信ビームの数に基づいて、ダウンリンク受信ビーム訓練信号の数を特定する。ここで、端末は、ダウンリンク受信ビーム訓練要求メッセージを基地局に送信すると同時に、端末のダウンリンク受信ビームの数または訓練すべきダウンリンク受信ビームの数を前記基地局に送信してもよく、ダウンリンク受信ビーム訓練要求メッセージのみを基地局に送信してもよく、端末のダウンリンク受信ビームの数または訓練すべきダウンリンク受信ビームの数のみを基地局に送信してもよい。
【０１０５】
ステップ６２において、前記基地局から前記ダウンリンク受信ビーム訓練要求メッセージに基づいて送信されるダウンリンク受信ビーム訓練トリガー通知メッセージを受信する。
【０１０６】
ステップ６３において、前記ダウンリンク受信ビーム訓練トリガー通知メッセージに基づいて、前記基地局から送信されるダウンリンク受信ビーム訓練信号を受信する。
【０１０７】
ステップ６４において、前記ダウンリンク受信ビーム訓練信号に基づいて、ダウンリンク受信ビーム訓練を行うことによって、ダウンリンク受信ビームを特定する。基地局から送信されるダウンリンクデータを受信するダウンリンク受信ビームを特定することが好ましい。
【０１０８】
ここで、ダウンリンク受信ビーム訓練を行うステップは、さらに、第２機器が、訓練されるダウンリンク受信ビームでＡＧＣ（自動ゲイン制御）の調整を行うことを含む。
【０１０９】
さらに、当該ステップ６４は、特定済みの前記ダウンリンク受信ビームに基づいて、基地局から送信されるダウンリンクデータを受信するステップ６５をさらに含む。
【０１１０】
ここで、ステップ６４において、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定する。
【０１１１】
ここで、前記ダウンリンク受信ビーム訓練トリガー通知メッセージの発効時点は、前記ダウンリンク受信ビーム訓練トリガー通知メッセージの受信時点＋時間間隔である。言い換えれば、発効時点は、ダウンリンク受信ビーム訓練トリガー通知メッセージの受信時点に時間間隔を加えた時点である。前記時間間隔は、０でありまたは０より大きい。
【０１１２】
前記時間間隔は、プロトコルで取り決められるか、端末と基地局によって事前に取り決められるか、基地局によって特定される。
【０１１３】
基地局によって特定される場合、基地局から時間間隔通知シグナリングによって端末に送信される。または、時間間隔は、前記ダウンリンク受信ビーム訓練トリガー通知メッセージから取得される。もちろん、本実施例では、ほかのダウンリンク情報ブロックで時間間隔を運ぶことが制限されない。前記時間間隔通知シグナリングは、時間間隔に関する情報を含む。端末は、前記情報またはシグナリングから前記時間間隔を取得する。
【０１１４】
端末は、前記時間間隔から、ダウンリンク受信ビーム訓練の開始時刻を取得することができる。
【０１１５】
端末は、ダウンリンク受信ビーム訓練トリガー通知メッセージの発効時点が、ダウンリンク受信ビーム訓練トリガー通知メッセージの受信時点＋時間間隔であるとする。当該時間間隔は、一定であるか、基地局から通知される（たとえばダウンリンク受信ビームトリガー通知メッセージにて運ばれたり、ダウンリンク受信ビームトリガー通知メッセージのダウンリンク受信訓練信号の時間／周波数位置から取得される。たとえば、基地局から、ＤＣＩに運ばせたり、専用の時間／周波数位置通知シグナリングに運ばせたり、ほかのダウンリンクシグナリングに運ばせたりする）。
【０１１６】
たとえば、端末が第ｎ個のサブフレームでダウンリンク受信ビームトリガーシグナリングを受信すると、ダウンリンク受信ビーム訓練信号は、第ｎ＋ｍ個のサブフレームに位置する。ｍは、一定の値であり（たとえばｍ＝４）、または、トリガー通知メッセージまたは時間間隔やダウンリンク受信ビーム訓練シーケンス位置通知シグナリングが運ばれるほかのメッセージにて運ばれる。ｍ＝０は、訓練信号とトリガーメッセージが同一サブフレームに位置することを意味する。
【０１１７】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１１８】
また、ステップ６４において、ダウンリンク受信ビーム訓練トリガー通知メッセージの発効後にダウンリンク受信ビーム訓練を行う。
【０１１９】
ケース１：端末は、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択する。
【０１２０】
ケース２：端末は、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択する。
【０１２１】
端末のダウンリンク受信ビーム訓練は、１つの時刻で複数のダウンリンク受信ビーム受信を限定しない。たとえば端末は、１つの時刻で、１つの受信ビームのみで訓練シーケンスを受信してもよく、同一時刻で複数の受信ビームで同時に訓練シーケンスを受信してもよいが、本開示では限定されない。
【０１２２】
端末のダウンリンク受信ビーム訓練は、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとする。ここで、ナロー受信ビームは、ワイド受信ビームのカバレッジを含み、または、ナロー受信ビームのカバレッジは、ワイド受信ビームのカバレッジよりわずかに大きい。
【０１２３】
選択可能に、ダウンリンク受信ビームの訓練は、ダウンリンク送信ビームの訓練と同時に行われる。
【０１２４】
選択可能に、ダウンリンク受信ビームの訓練は、ダウンリンク送信ビームの訓練と交代に行われる。
【０１２５】
図７は、端末がダウンリンク受信ビーム訓練トリガー通知メッセージとダウンリンク受信ビーム訓練信号を受信する典型例を示す。
【０１２６】
図７では、ダウンリンク受信ビームのトリガーメッセージとダウンリンク受信ビーム訓練信号とは、同一サブフレームに位置し、ダウンリンク送信ビーム訓練信号の後に、基地局から端末にダウンリンクデータを送信し、端末が、当該基地局から送信されるダウンリンクデータを受信する。ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１２７】
ダウンリンクデータとダウンリンク受信ビーム訓練信号は、同一のダウンリンク送信ビームで伝送されてもよい。このように、端末は、ダウンリンク受信ビーム訓練信号を受信することによって最適なダウンリンク受信ビームを取得すると、当該ビームでデータを受信することができる。
【０１２８】
図８は、端末がダウンリンク受信ビーム訓練トリガー通知メッセージとダウンリンク受信ビーム訓練信号を受信する別の典型例を示す。
【０１２９】
１つのサブフレームでは（当該端末に対する）データ伝送が行われず、ダウンリンク制御シグナリングの後は、すべてダウンリンク受信ビーム訓練信号である。ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１３０】
端末は、ダウンリンク受信ビーム訓練信号を受信することによって最適なダウンリンク受信ビームを取得した後に、当該ビームの重み値を保存して後のダウンリンクデータ受信に用いる。
【０１３１】
本開示の上記ダウンリンク受信ビーム訓練信号伝送方法は、アナログとデジタルアナログ混合のビームフォーミングに適用するとともに、デジタルビームフォーミングにも適用し、トリガーに基づくダウンリンク受信ビーム訓練を実現することもできる。
実施例４
【０１３２】
本開示の実施例４のダウンリンク受信ビーム訓練信号伝送装置は、基地局から送信されるダウンリンク受信ビーム訓練トリガー通知メッセージを受信することに用いられる受信モジュールと、前記ダウンリンク受信ビーム訓練トリガー通知メッセージに基づいて、前記基地局から送信されるダウンリンク受信ビーム訓練信号を受信してダウンリンク受信ビーム訓練を行うことに用いられる訓練モジュールとを含む。
【０１３３】
ダウンリンク受信ビーム訓練信号伝送装置は、基地局にダウンリンク受信ビーム訓練要求メッセージを送信することに用いられる第１送信モジュールをさらに含む。
【０１３４】
ダウンリンク受信ビーム訓練信号伝送装置は、端末のダウンリンク受信ビームの数または訓練すべきダウンリンク受信ビームの数を前記基地局に送信することに用いられる第２送信モジュールをさらに含む。
【０１３５】
前記受信モジュールは、具体的に、ダウンリンク制御情報ＤＣＩまたは専用のトリガーシグナリングまたはほかのダウンリンク情報ブロックによって、基地局から端末に送信されるダウンリンク受信ビーム訓練トリガー通知メッセージを受信することに用いられる。
【０１３６】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１３７】
前記訓練モジュールは、具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信することに用いられる。
【０１３８】
ダウンリンク受信ビーム訓練信号伝送装置は、前記基地局のダウンリンク送信ビームの訓練結果情報を前記基地局に報告することに用いられる第３送信モジュールをさらに含む。
【０１３９】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１４０】
前記訓練モジュールは、具体的に、前記ダウンリンク受信ビーム訓練トリガー通知メッセージ、および、前記ダウンリンク受信ビーム訓練信号のサブフレームにおける時間／周波数位置に基づいて、基地局から送信されるダウンリンク受信ビーム訓練信号を受信することに用いられる。
【０１４１】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１４２】
ダウンリンク受信ビーム訓練信号のサブフレームにおける時間／周波数位置は、端末と基地局によって取り決められ、または、基地局によって特定される。
【０１４３】
前記訓練モジュールは、具体的に、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定することに用いられる。
【０１４４】
前記ダウンリンク受信ビーム訓練トリガー通知メッセージの発効時点は、前記ダウンリンク受信ビーム訓練トリガー通知メッセージの受信時点＋時間間隔である。前記時間間隔は、端末と基地局によって取り決められまたは基地局によって特定される。
【０１４５】
前記訓練モジュールは、具体的に、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとすることに用いられる。
【０１４６】
前記受信モジュールは、さらに、特定済みの前記ダウンリンク受信ビームを用いて、基地局から送信されるダウンリンクデータを受信することに用いられる。
【０１４７】
ダウンリンクデータを受信する前記ダウンリンク受信ビームは、前記ダウンリンク受信ビーム訓練信号を受信する受信ビームとは同じである。
【０１４８】
なお、当該ダウンリンク受信ビーム訓練信号伝送装置の実施例は、上記方法に対応する装置である。上記方法のすべての実施例は、いずれも当該装置の実施例に適用し、同一の技術効果を奏することもできる。
実施例５
【０１４９】
図９に示すように、本開示の実施例５の端末は、受信機と、プロセッサとを含む。受信機は、基地局から送信されるダウンリンク受信ビーム訓練トリガー通知メッセージを受信することに用いられる。プロセッサは、訓練モジュールの機能を実現する。訓練モジュールは、前記ダウンリンク受信ビーム訓練トリガー通知メッセージに基づいて、前記基地局から送信されるダウンリンク受信ビーム訓練信号を受信してダウンリンク受信ビーム訓練を行うことに用いられる。
【０１５０】
端末は、基地局にダウンリンク受信ビーム訓練要求メッセージを送信することに用いられる送信機をさらに含む。
【０１５１】
前記送信機は、さらに、端末のダウンリンク受信ビームの数または訓練すべきダウンリンク受信ビームの数を前記基地局に送信することに用いられる。
【０１５２】
前記受信機は、具体的に、ダウンリンク制御情報ＤＣＩまたは専用のトリガーシグナリングによって、基地局から端末に送信されるダウンリンク受信ビーム訓練トリガー通知メッセージを受信することに用いられる。
【０１５３】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１５４】
前記訓練モジュールは、具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信することに用いられる。
【０１５５】
前記送信機は、さらに、前記基地局のダウンリンク送信ビームの訓練結果情報を前記基地局に報告することに用いられる。
【０１５６】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１５７】
前記訓練モジュールは、具体的に、前記ダウンリンク受信ビーム訓練トリガー通知メッセージ、および、前記ダウンリンク受信ビーム訓練信号のサブフレームにおける時間／周波数位置に基づいて、基地局から送信されるダウンリンク受信ビーム訓練信号を受信することに用いられる。
【０１５８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１５９】
ダウンリンク受信ビーム訓練信号のサブフレームにおける時間／周波数位置は、端末と基地局によって取り決められ、または、基地局によって特定される。
【０１６０】
前記訓練モジュールは、具体的に、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定することに用いられる。
【０１６１】
前記ダウンリンク受信ビーム訓練トリガー通知メッセージの発効時点は、前記ダウンリンク受信ビーム訓練トリガー通知メッセージの受信時点＋時間間隔である。前記時間間隔は、端末と基地局によって取り決められまたは基地局によって特定される。
【０１６２】
前記訓練モジュールは、具体的に、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとすることに用いられる。
【０１６３】
端末の前記受信モジュールは、さらに、特定済みの前記ダウンリンク受信ビームを用いて、基地局から送信されるダウンリンクデータを受信することに用いられる。
【０１６４】
ダウンリンクデータを受信する前記ダウンリンク受信ビームは、前記ダウンリンク受信ビーム訓練信号を受信する受信ビームとは同じである。
【０１６５】
本開示の当該実施例において、プロセッサは、バスインタフェースを介してメモリに接続し、かつバスインタフェースを介して受信機または送信機に接続する。前記メモリは、前記プロセッサによる操作実行に用いられるプログラムとデータを記憶することに用いられる。バスインタフェースは、バスアーキテクチャに含まれる任意数の相互接続するバスとブリッジのインタフェースであり、具体的に、プロセッサをはじめとする１つ又は複数のプロセッサとメモリをはじめとするメモリの各種類の回路を接続する。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。受信機または送信機は、複数の部品であってもよく、伝送媒体でほかの各種類の装置と通信するユニットとして提供される。
【０１６６】
本開示の当該実施例は、同様に、トリガーに基づくダウンリンク受信ビーム訓練を実現することができる。
実施例６
【０１６７】
図１０に示すように、本開示の実施例６のダウンリンク受信ビーム訓練信号伝送方法は、下記ステップを含む。
【０１６８】
ステップ７１において、ダウンリンク受信ビーム訓練トリガー通知メッセージを端末に送信する。
【０１６９】
さらに、当該ステップの前に、端末から送信されるダウンリンク受信ビーム訓練要求メッセージを受信することをさらに含む。さらに、基地局は、端末から送信されるダウンリンク受信ビーム訓練要求メッセージに基づいて、端末に対しダウンリンク受信ビーム訓練を行うと特定する。
【０１７０】
当該ステップの前に、端末から送信されるダウンリンク受信ビームの数または訓練すべきダウンリンク受信ビームの数を受信することをさらに含む。よって、端末から送信されるダウンリンク受信ビームの数または訓練すべきダウンリンク受信ビームの数に基づいて、ダウンリンク受信ビーム訓練信号の数を特定することができる。
【０１７１】
具体的に、ダウンリンク制御情報ＤＣＩまたは専用のシグナリングまたはほかのダウンリンク情報ブロックによって、前記ダウンリンク受信ビーム訓練トリガー通知メッセージを端末に送信する。
【０１７２】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１７３】
ステップ７２において、ダウンリンク受信ビーム訓練信号を端末に送信する。
【０１７４】
具体的に、基地局は、ダウンリンク送信ビームを特定し、ダウンリンク送信ビームのビームフォーミング重み値を用いてダウンリンク送信ビーム訓練信号をフォーミングした後に、端末に送信する。
【０１７５】
当該ステップの前に、基地局は、端末から報告される基地局のダウンリンク送信ビームの訓練結果情報を受信することをさらに含む。前記訓練結果情報は、端末に薦められる前記基地局のダウンリンク送信ビームの識別子、および／または、端末によって測定した前記基地局の訓練用のダウンリンク送信ビームの電力強度情報を含む。基地局は、前記訓練結果情報に基づいて、前記ダウンリンク送信ビームを特定することができる。
【０１７６】
端末に送信されるダウンリンク受信ビーム訓練信号のサブフレームにおける時間／周波数位置は、プロトコルで取り決められるか、端末と基地局によって取り決められるか、基地局によって特定される。
【０１７７】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１７８】
ダウンリンク受信ビーム訓練信号のサブフレームにおける時間／周波数位置が、プロトコルで取り決められ、または端末と基地局によって取り決められる場合、取り決められた時間／周波数位置は、端末と取り決められた各サブフレームの前からＭ（正整数）個のＯＦＤＭシンボルを含む。
【０１７９】
端末に送信されるダウンリンク受信ビーム訓練信号のサブフレームにおける時間／周波数位置が基地局によって特定される場合、基地局は、前記時間／周波数位置通知メッセージを端末に送信する。前記時間／周波数位置通知メッセージは、ＤＣＩにて運ばれたり、ダウンリンク受信ビーム訓練トリガー通知メッセージにて運ばれたり、ほかのダウンリンクシグナリングにて運ばれたりする。例えば、基地局は、ダウンリンク受信ビーム訓練信号がサブフレームの前からＭ個のＯＦＤＭシンボルに位置すると特定し、Ｍの値である時間／周波数位置通知メッセージを端末に送信する。
【０１８０】
さらに、端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０１８１】
前記時間間隔が基地局によって特定される場合、基地局から端末に前記時間間隔通知メッセージを送信する。前記時間間隔通知メッセージは、ＤＣＩにて運ばれたり、ダウンリンク受信ビーム訓練トリガー通知メッセージにて運ばれたり、ほかのダウンリンクシグナリングにて運ばれたりする。例えば、端末が第ｎ個のサブフレームでダウンリンク受信ビームトリガーシグナリングを受信すると、ダウンリンク受信ビーム訓練信号は、第ｎ＋ｍ個のサブフレームに位置する。ｍは、一定の値であり（たとえばｍ＝４）、または、トリガー通知メッセージまたは時間間隔やダウンリンク受信ビーム訓練シーケンス位置に関する通知シグナリングが運ばれるメッセージにて運ばれる。
【０１８２】
本開示の当該実施例は、上記ステップ７１と７２を含むほか、さらに、ダウンリンクデータを送信することに用いられるダウンリンク送信ビームでダウンリンクデータを端末に送信するステップ７３を含む。
【０１８３】
本開示の当該実施例は、アナログとデジタルアナログ混合のビームフォーミングに適用するとともに、デジタルビームフォーミングにも適用し、トリガーに基づくダウンリンク受信ビーム訓練を実現することもできる。
実施例７
【０１８４】
本開示の実施例７のダウンリンク受信ビーム訓練信号伝送装置は、ダウンリンク受信ビーム訓練トリガー通知メッセージを端末に送信することに用いられる第１送信モジュールと、ダウンリンク受信ビーム訓練信号を端末に送信することに用いられる第２送信モジュールとを含む。
【０１８５】
ダウンリンク受信ビーム訓練信号伝送方法は、端末から送信されるダウンリンク受信ビーム訓練要求メッセージを受信することに用いられる第１受信モジュールをさらに含む。
【０１８６】
ダウンリンク受信ビーム訓練信号伝送装置は、端末から送信されるダウンリンク受信ビームの数または訓練すべきダウンリンク受信ビームの数を受信することに用いられる第２受信モジュールをさらに含む。
【０１８７】
前記第１送信モジュールは、具体的に、ダウンリンク制御情報ＤＣＩまたは専用のシグナリングまたはほかのダウンリンク情報ブロックによって、端末にダウンリンク受信ビーム訓練トリガー通知メッセージを送信することに用いられる。
【０１８８】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１８９】
前記第２送信モジュールは、具体的に、ダウンリンク受信ビーム訓練信号に用いられるダウンリンク送信ビームを特定し、前記ダウンリンク送信ビームのビームフォーミング重み値を用いて前記ダウンリンク受信ビーム訓練信号をフォーミングした後に、端末に送信することに用いられる。
【０１９０】
前記第２送信モジュールは、ダウンリンク送信ビームを特定する際に、具体的に、端末から報告される基地局のダウンリンク送信ビームの訓練結果情報を受信し、前記訓練結果情報に基づいて、前記ダウンリンク受信ビーム訓練信号の送信に用いられるダウンリンク送信ビームを特定することに用いられる。
【０１９１】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１９２】
前記ダウンリンク受信ビーム訓練信号に用いられるダウンリンク送信ビームは、基地局から端末に送信されるダウンリンク送信ビームとは同じである。
【０１９３】
端末に送信されるダウンリンク受信ビーム訓練信号のサブフレームにおける時間／周波数位置は、プロトコルで取り決められるか、端末と基地局によって取り決められるか、基地局によって特定される。
【０１９４】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１９５】
端末に送信されるダウンリンク受信ビーム訓練信号のサブフレームにおける時間／周波数位置が基地局によって特定される場合、基地局から端末に前記時間／周波数位置通知メッセージを送信する。
【０１９６】
端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０１９７】
前記時間間隔が基地局によって特定される場合、基地局から端末に前記時間間隔通知メッセージを送信する。前記時間間隔は、ＤＣＩにて運ばれたり、ダウンリンク受信ビーム訓練トリガー通知メッセージにて運ばれたり、ほかのダウンリンクシグナリングにて運ばれたりする。
【０１９８】
なお、当該実施例は、上記の基地局側のダウンリンク受信ビーム訓練信号伝送方法に対応する装置である。上記の方法実施例におけるすべての実現方式は、いずれも当該装置の実施例に適用し、同一の技術効果を奏することもできる。
実施例８
【０１９９】
本開示の実施例８の基地局は、ダウンリンク受信ビーム訓練トリガー通知メッセージを端末に送信し、ダウンリンク受信ビーム訓練信号を端末に送信することに用いられる送信機を含む。
【０２００】
基地局は、端末から送信されるダウンリンク受信ビーム訓練要求メッセージを受信することに用いられる受信機をさらに含む。前記受信機は、端末から送信されるダウンリンク受信ビームの数または訓練すべきダウンリンク受信ビームの数を受信することに用いられる。
【０２０１】
前記送信機は、ダウンリンク制御情報ＤＣＩまたは専用のシグナリングまたはほかのダウンリンク情報ブロックによって、ダウンリンク受信ビーム訓練トリガー通知メッセージを端末に送信する。
【０２０２】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０２０３】
前記送信機は、具体的に、ダウンリンク受信ビーム訓練信号に用いられるダウンリンク送信ビームを特定し、前記ダウンリンク送信ビームのビームフォーミング重み値を用いて前記ダウンリンク受信ビーム訓練信号をフォーミングした後に、端末に送信することに用いられる。
【０２０４】
前記送信機は、ダウンリンク送信ビームを特定する際に、具体的に、端末から報告される基地局のダウンリンク送信ビームの訓練結果情報を受信し、前記訓練結果情報に基づいて、前記ダウンリンク受信ビーム訓練信号の送信に用いられるダウンリンク送信ビームを特定することに用いられる。
【０２０５】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０２０６】
前記ダウンリンク受信ビーム訓練信号に用いられるダウンリンク送信ビームは、基地局から端末に送信されるダウンリンク送信ビームとは同じである。
【０２０７】
端末に送信されるダウンリンク受信ビーム訓練信号のサブフレームにおける時間／周波数位置は、プロトコルで取り決められるか、端末と基地局によって取り決められるか、基地局によって特定される。
【０２０８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０２０９】
端末に送信されるダウンリンク受信ビーム訓練信号のサブフレームにおける時間／周波数位置が基地局によって特定される場合、基地局から端末に前記時間／周波数位置通知メッセージを送信する。
【０２１０】
端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０２１１】
前記時間間隔が基地局によって特定される場合、基地局から端末に前記時間間隔通知メッセージを送信する。前記時間間隔通知メッセージは、ＤＣＩにて運ばれたり、ダウンリンク受信ビーム訓練トリガー通知メッセージにて運ばれたり、ほかのダウンリンクシグナリングにて運ばれたりする。
【０２１２】
本開示の当該実施例は、プロセッサをさらに含む。プロセッサは、バスインタフェースを介してメモリに接続し、かつバスインタフェースを介して前記送信機と受信機に接続する。メモリは、前記プロセッサによる操作実行に用いられるプログラムとデータを記憶することに用いられる。バスインタフェースは、バスアーキテクチャに含まれる任意数の相互接続するバスとブリッジのインタフェースであり、具体的に、プロセッサをはじめとする１つ又は複数のプロセッサとメモリをはじめとするメモリの各種類の回路を接続する。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。受信機または送信機は、複数の部品であってもよく、伝送媒体でほかの各種類の装置と通信するユニットとして提供される。
【０２１３】
本開示の当該実施例は、同様に、トリガーに基づくダウンリンク受信ビーム訓練を実現することができる。
【０２１４】
以上の記載は、本開示の好ましい実施形態である。なお、当業者にとって、本開示に記載した原理を逸脱することなくいくつかの改良や修飾を行うこともできる。これらの改良や修飾も、本開示の保護範囲として見なされるべきである。
【図１】
2019525610.tif 000003
【図２】
2019525610.tif 000004
【図３】
2019525610.tif 000005
【図４】
2019525610.tif 000006
【図５】
2019525610.tif 000007
【図６】
2019525610.tif 000008
【図７】
2019525610.tif 000009
【図８】
2019525610.tif 000010
【図９】
2019525610.tif 000011
【図１０】
2019525610.tif 000012
【手続補正書】
【提出日】平成31年3月6日(2019.3.6)
【手続補正１】
【補正対象書類名】明細書
【補正対象項目名】全文
【補正方法】変更
【補正の内容】
【発明の詳細な説明】
【技術分野】
【０００１】
本開示は、通信技術分野に係り、特にダウンリンクビーム訓練方法および装置に係る。
【背景技術】
【０００２】
ピークレートとシステムスペクトル利用率の向上へのＭＩＭＯ（マルチ入力マルチ出力）技術の重要な役割に鑑み、ＬＴＥ（登録商標）（Ｌｏｎｇ  Ｔｅｒｍ  Ｅｖｏｌｕｔｉｏｎ）／ＬＴＥ−Ａ（ＬＴＥ−Ａｄｖａｎｃｅｄ）などの無線アクセス技術標準は、いずれもＭＩＭＯ＋ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を基に構築される。
【０００３】
ＭＩＭＯ技術の性能ゲインがマルチアンテナシステムによる空間自由度から得られるため、次元の拡張は、ＭＩＭＯ技術の標準化における最も重要な改良方向である。
【０００４】
ＬＴＥ  Ｒｅｌ−８では、最多で４レイヤのＭＩＭＯ伝送がサポートされる。
【０００５】
Ｒｅｌ−９は、ＭＵ−ＭＩＭＯ技術の強化をポイントとする。ＴＭ（Ｔｒａｎｓｍｉｓｓｉｏｎ  Ｍｏｄｅ）−８のＭＵ−ＭＩＭＯ（Ｍｕｌｔｉ−Ｕｓｅｒ  ＭＩＭＯ）伝送では、最多で４つのダウンリンクデータレイヤがサポートされる。
【０００６】
Ｒｅｌ−１０では、８アンテナポートをサポートすることによって、チャネル状態情報の空間解像度をさらに向上させ、ＳＵ−ＭＩＭＯ（Ｓｉｎｇｌｅ−Ｕｓｅｒ  ＭＩＭＯ）の伝送力を最大で８つのデータレイヤまで拡張させる。
【０００７】
Ｒｅｌ−１３とＲｅｌ−１４では、ＦＤ−ＭＩＭＯ技術を導入して３２ポートまでサポートすることによって、全次元および垂直方向のビームフォーミングが実現される。
【０００８】
ビームフォーミングは、アンテナアレイに基づく信号前処理技術であり、アンテナアレイの各エレメントの重み係数を調整することによって指向性のあるビームを生成し、明らかなアレイゲインを取得することができる。したがって、ビームフォーミング技術は、カバレッジの拡大、エッジスループットの改善および干渉の抑止などにおいて大きな利点を有する。
【０００９】
ＭＩＭＯ技術をさらに向上させるために、移動通信システムには、大規模アンテナ技術が導入される。基地局において、オールデジタルの大規模アンテナは、１２８／２５６／５１２ものアンテナエレメント、および、１２８／２５６／５１２ものトランシーバを有し、各アンテナエレメントに１つのトランシーバが接続される。
【００１０】
アンテナエレメントは、アンテナ上の素子であり、ガイドおよび電磁波拡大の機能を有し、アンテナで受信した電磁信号をより強くする。アンテナエレメントは、導電性が優れた金属で作製される。エレメントは、棒状であったり複雑な構造であったりするが、通常、複数のエレメントがアンテナで平行に配列される。
【００１１】
１２８／２５６／５１２ものアンテナポートのパイロット信号を送信することによって、端末は、チャネル状態情報を測定してフィードバックする。
【００１２】
端末においても、３２／６４ものアンテナエレメントのアンテナアレイを配置してもよい。
【００１３】
基地局と端末の両側のビームフォーミングによって、大きなビームフォーミングゲインを取得し、パスロスによる信号減衰を補う。特に高周波通信の場合、たとえば３０ＧＨｚの周波数点において、無線信号のカバレッジは、パスロスによって大きく制限される。大規模アンテナ技術によって、無線信号のカバレッジを適用可能範囲に拡大させることができる。
【００１４】
オールデジタルのアンテナアレイにおいて、アンテナエレメント毎に独立なトランシーバがあるため、機器のサイズ、コストおよび電力損失が大幅に向上する。特にトランシーバのアナログデジタルコンバータ（ＡＤＣ）とデジタルアナログコンバータ（ＤＡＣ）の場合、ここ十年でその電力損失が１／１０程度しか低下していなく、性能の向上も限られている。
【００１５】
機器のサイズ、コストおよび電力損失を低下させるには、図１と図２に示すようなアナログビームフォーミングに基づく技術が提案されている。アナログビームフォーミングの主な特徴は、位相シフトによって中間周波数（図１）またはラジオ周波数信号（図２）に対し重み付けをしてフォーミングを行うことである。
【００１６】
Ｓ０信号（ベースバンド信号、すなわち中間周波数信号）は、デジタルアナログコンバータ（ＤＡＣ）を経て、位相シフタによって重み付けてフォーミングが行われ、パワーアンプ（ＰＡ）による電力増幅の後に送信される。
【００１７】
受信側のアンテナは、信号を受信すると、ＬＮＡ（Ｌｏｗ  Ｎｏｉｓｅ  Ａｍｐｌｉｆｉｅｒ）で増幅してから、位相シフタを経て重み付けてフォーミングを行い、アナログデジタルコンバータ（ＡＤＣ）に伝送して受信信号ｒ０を出力する。
【００１８】
その利点として、すべての送信（受信）アンテナに１つのトランシーバしか有しなく、具現されやすく、コスト、サイズおよび電力損失が低下する。
【００１９】
アナログビームフォーミングの性能をさらに向上させるには、図３に示すようなデジタルアナログ混合ビームフォーミングの送受信アーキテクチャが提案されている。
【００２０】
図３では、送信側と受信側にそれぞれＮＴＲＦ、ＮＲＲＦ個のトランシーバ（アンテナ）を有し、送信側アンテナエレメント数ＮＴ＞ＮＴＲＦであり、受信側アンテナエレメント数ＮＲ＞ＮＲＲＦであり、ビームフォーミングにサポートされる最大並行伝送ストリーム数がｍｉｎ（ＮＴＲＦ，ＮＲＲＦ）である。
【００２１】
図３の混合ビームフォーミング構造は、デジタルビームフォーミングの自由度とアナログビームフォーミングの低複雑度のバランスをとり、複数のデータストリームと複数のユーザの同時フォーミングが可能であり、同時に、複雑度も合理的な範囲にコントロールされている。
【００２２】
アナログビームフォーミングとデジタルアナログ混合ビームフォーミングのいずれも、送受信両側のアナログビームフォーミング重み値を調整する必要があり、それによって、形成されるビームは、通信の相手側に整合される。
【００２３】
ダウンリンク伝送の場合、基地局側から送信されるビームフォーミング重み値と端末側で受信するビームフォーミング重み値を調整する必要があるが、アップリンク伝送の場合、端末側から送信されるビームフォーミング重み値と基地局側で受信するビームフォーミング重み値を調整する必要がある。
【００２４】
関連技術の通信システムにおいて、効果的なビーム訓練方法がなく、性能が低下する。
【発明の概要】
【発明が解決しようとする課題】
【００２５】
本開示の解決しようとする課題は、ダウンリンクビーム訓練方法および装置を提供することによって、端末が基地局にトリガーされてダウンリンク受信ビーム訓練を行うことができることである。
【課題を解決するための手段】
【００２６】
上述した技術課題を解決するために、本開示の実施例のダウンリンクビーム訓練方法は、第１機器から送信されるダウンリンク受信ビーム訓練トリガー通知メッセージを受信するステップと、前記前記ダウンリンク受信ビーム訓練トリガー通知メッセージに基づいて、前記前記第１機器から送信されるダウンリンク受信ビーム訓練信号を受信するステップと、前記前記ダウンリンク受信ビーム訓練信号に基づいて、ダウンリンク受信ビームの訓練を行うステップとを含む。
【００２７】
第１機器から送信されるダウンリンク受信ビーム訓練トリガー通知メッセージを受信する前に、前記第１機器にダウンリンク受信ビーム訓練要求メッセージを送信するステップをさらに含む。
【００２８】
前記ダウンリンク受信ビーム訓練トリガー通知メッセージに基づいて、前記第１機器から送信されるダウンリンク受信ビーム訓練信号を受信するステップの前に、第２機器のダウンリンク受信ビームの数または訓練すべきダウンリンク受信ビームの数を前記第１機器に送信するステップをさらに含む。
【００２９】
第１機器から第２機器に送信されるダウンリンク受信ビーム訓練トリガー通知メッセージを受信するステップは、ダウンリンク制御情報ＤＣＩまたは専用のトリガーシグナリングによって、前記第１機器から送信される前記ダウンリンク受信ビーム訓練トリガー通知メッセージを受信することを含む。
【００３０】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含む。
【００３１】
前記ダウンリンク受信ビーム訓練トリガー通知メッセージに基づいて、前記第１機器から送信されるダウンリンク受信ビーム訓練信号を受信するステップは、前記ダウンリンク受信ビーム訓練トリガー通知メッセージに基づいて、前記第１機器によって特定されたダウンリンク送信ビームで送信されるダウンリンク受信ビーム訓練信号を前記第１機器から受信することを含む。
【００３２】
前記ダウンリンク受信ビーム訓練トリガー通知メッセージに基づいて、前記第１機器によって特定されたダウンリンク送信ビームで送信されるダウンリンク受信ビーム訓練信号を前記第１機器から受信する前に、前記第１機器のダウンリンク送信ビームの訓練結果情報を前記第１機器に報告することをさらに含む。
【００３３】
前記訓練結果情報は、第２機器に薦められる前記第１機器のダウンリンク送信ビームの識別子、および／または、第２機器によって測定した前記第１機器のダウンリンク送信ビーム訓練信号強度情報を含む。
【００３４】
前記ダウンリンク受信ビーム訓練トリガー通知メッセージに基づいて、前記第１機器から送信されるダウンリンク受信ビーム訓練信号を受信するステップは、前記ダウンリンク受信ビーム訓練トリガー通知メッセージ、および、前記ダウンリンク受信ビーム訓練信号のサブフレームにおける時間／周波数位置に基づいて、前記第１機器から送信されるダウンリンク受信ビーム訓練信号を受信することを含む。
【００３５】
前記ダウンリンク受信ビーム訓練信号のサブフレームにおける時間／周波数位置は、第２機器と前記第１機器によって取り決められ、または、前記第１機器によって特定される。前記ダウンリンク受信ビーム訓練信号に基づいて、ダウンリンク受信ビームの訓練を行うステップは、前記ダウンリンク受信ビーム訓練信号に基づいて、ダウンリンク受信ビーム訓練トリガー通知メッセージの発効後にダウンリンク受信ビームの訓練を行い、前記第１機器から送信されるダウンリンクデータを受信することに用いられるダウンリンク受信ビームを特定するステップを含む。
【００３６】
前記ダウンリンク受信ビーム訓練トリガー通知メッセージの発効時点は、前記ダウンリンク受信ビーム訓練トリガー通知メッセージの受信時点に、第２機器と前記第１機器によって取り決められまたは前記第１機器によって特定される時間間隔を加えた時点である。
【００３７】
前記第１機器から送信されるダウンリンクデータを受信することに用いられるダウンリンク受信ビームを特定するステップは、異なるダウンリンク受信ビームでダウンリンク受信ビーム訓練信号を受信し、最大受信信号電力のダウンリンク受信ビームを、前記第１機器から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記第１機器から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、第１機器から送信されるダウンリンクデータを受信することに用いられるダウンリンク受信ビームとすることを含む。
【００３８】
前記第１機器から送信されるダウンリンクデータを受信することに用いられるダウンリンク受信ビームを特定した後に、特定済みの前記ダウンリンク受信ビームを用いて、前記第１機器から送信されるダウンリンクデータを受信することをさらに含む。
【００３９】
本開示の実施例のダウンリンクビーム訓練装置は、第１機器から送信されるダウンリンク受信ビーム訓練トリガー通知メッセージを受信することに用いられる受信モジュールと、前記ダウンリンク受信ビーム訓練トリガー通知メッセージに基づいて、前記第１機器から送信されるダウンリンク受信ビーム訓練信号を受信し、前記ダウンリンク受信ビーム訓練信号に基づいて、ダウンリンク受信ビームの訓練を行うことに用いられる訓練モジュールとを含む。
【００４０】
ダウンリンクビーム訓練装置は、前記第１機器にダウンリンク受信ビーム訓練要求メッセージを送信することに用いられる第１送信モジュールをさらに含む。
【００４１】
ダウンリンクビーム訓練装置は、第２機器のダウンリンク受信ビームの数または訓練すべきダウンリンク受信ビームの数を前記第１機器に送信することに用いられる第２送信モジュールをさらに含む。
【００４２】
本開示の実施例のダウンリンクビーム訓練方法は、ダウンリンク受信ビーム訓練トリガー通知メッセージを第２機器に送信するステップと、前記第２機器にダウンリンク受信ビーム訓練信号を送信するステップを含み、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００４３】
ダウンリンク受信ビーム訓練トリガー通知メッセージを第２機器に送信する前に、前記第２機器から送信されるダウンリンク受信ビーム訓練要求メッセージを受信することをさらに含む。
【００４４】
第２機器にダウンリンク受信ビーム訓練信号を送信する前に、前記第２機器から送信されるダウンリンク受信ビームの数または訓練すべきダウンリンク受信ビームの数を受信することをさらに含む。
【００４５】
ダウンリンク受信ビーム訓練トリガー通知メッセージを第２機器に送信するステップは、ダウンリンク制御情報ＤＣＩまたは専用のシグナリングによって、前記第２機器に前記ダウンリンク受信ビーム訓練トリガー通知メッセージを送信することを含む。
【００４６】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含む。
【００４７】
第２機器にダウンリンク受信ビーム訓練信号を送信するステップは、ダウンリンク受信ビーム訓練信号に用いられるダウンリンク送信ビームを特定するステップと、前記ダウンリンク送信ビームのビームフォーミング重み値を用いて前記ダウンリンク受信ビーム訓練信号をフォーミングした後に、前記第２機器に前記ダウンリンク受信ビーム訓練信号を送信するステップとを含む。
【００４８】
ダウンリンク受信ビーム訓練信号に用いられるダウンリンク送信ビームを特定するステップは、前記第２機器から報告される第１機器のダウンリンク送信ビームの訓練結果情報を受信することと、前記訓練結果情報に基づいて、前記ダウンリンク受信ビーム訓練信号の送信に用いられる前記ダウンリンク送信ビームを特定することとを含む。
【００４９】
前記訓練結果情報は、前記第２機器に薦められる前記第１機器のダウンリンク送信ビームの識別子、および／または、第２機器によって測定した前記第１機器のダウンリンク送信ビーム訓練信号強度情報を含む。
【００５０】
前記ダウンリンク受信ビーム訓練信号に用いられるダウンリンク送信ビームは、前記第１機器からダウンリンクデータを前記第２機器に送信するダウンリンク送信ビームとは同じである。
【００５１】
前記第２機器に送信されるダウンリンク受信ビーム訓練信号のサブフレームにおける時間／周波数位置は、前記第２機器と第１機器によって取り決められ、または、第１機器によって特定される。
【００５２】
前記第２機器に送信されるダウンリンク受信ビーム訓練信号のサブフレームにおける時間／周波数位置が前記第１機器によって特定される場合、前記第１機器から第２機器に前記時間／周波数位置通知メッセージを送信する。
【００５３】
前記第２機器にダウンリンク受信ビーム訓練信号を送信する時点は、ダウンリンク受信ビーム訓練トリガー通知メッセージの送信時点に、前記第２機器と第１機器によって取り決められまたは第１機器によって特定される時間間隔を加えた時点である。
【００５４】
前記時間間隔が前記第１機器によって特定される場合、  前記第１機器から第２機器に前記時間間隔通知メッセージを送信する。
【００５５】
本開示の実施例のダウンリンクビーム訓練装置は、ダウンリンク受信ビーム訓練トリガー通知メッセージを第２機器に送信することに用いられる第１送信モジュールと、前記第２機器にダウンリンク受信ビーム訓練信号を送信することに用いられる第２送信モジュールとを含み、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００５６】
ダウンリンクビーム訓練装置は、前記第２機器から送信されるダウンリンク受信ビーム訓練要求メッセージを受信することに用いられる第１受信モジュールをさらに含む。
【００５７】
ダウンリンクビーム訓練装置は、前記第２機器から送信されるダウンリンク受信ビームの数または訓練すべきダウンリンク受信ビームの数を受信することに用いられる第２受信モジュールをさらに含む。
【００５８】
本開示の実施例のダウンリンクビーム訓練装置は、受信機と、プロセッサと、メモリを含む。前記受信機は、第１機器から送信されるダウンリンク受信ビーム訓練トリガー通知メッセージを受信することに用いられる。前記プロセッサは、前記メモリに格納されているプログラムとデータを実行することによって、前記ダウンリンク受信ビーム訓練トリガー通知メッセージに基づいて、前記第１機器から送信されるダウンリンク受信ビーム訓練信号を受信するように前記受信機をトリガーし、前記受信機で受信した前記ダウンリンク受信ビーム訓練信号に基づいて、ダウンリンク受信ビームの訓練を行うことに用いられる。
【００５９】
選択可能に、当該ダウンリンクビーム訓練装置は、前記第１機器にダウンリンク受信ビーム訓練要求メッセージを送信することに用いられる送信機をさらに含む。
【００６０】
本開示の実施例のダウンリンクビーム訓練装置は、送信機と、プロセッサと、メモリを含む。前記プロセッサは、前記メモリに格納されているプログラムとデータを実行することによって、ダウンリンク受信ビーム訓練トリガー通知メッセージとダウンリンク受信ビーム訓練信号を生成することに用いられる。前記送信機は、第２機器にダウンリンク受信ビーム訓練トリガー通知メッセージを送信し、前記第２機器にダウンリンク受信ビーム訓練信号を送信することに用いられる。ここで、前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられる。
【００６１】
選択可能に、当該ダウンリンクビーム訓練装置は、前記第２機器から送信されるダウンリンク受信ビーム訓練要求メッセージを受信することに用いられる受信機をさらに含む。
【発明の効果】
【００６２】
本開示の実施例において、第１機器から送信されるダウンリンク受信ビーム訓練トリガー通知メッセージを受信し、前記ダウンリンク受信ビーム訓練トリガー通知メッセージに基づいて、前記第１機器から送信されるダウンリンク受信ビーム訓練信号を受信してダウンリンク受信ビーム訓練を行う。当該第１機器は、基地局であり、第２機器は、端末である。よって、端末は、基地局のトリガーメカニズムに基づいて、ダウンリンクビーム訓練を行う。
【図面の簡単な説明】
【００６３】
【図１】図１は、アナログビームフォーミングによって中間周波数（ベースバンド）信号を重み付けてフォーミングすることを示す。
【図２】図２は、アナログビームフォーミングによってラジオ周波数信号を重み付けてフォーミングすることを示す。
【図３】図３は、デジタルアナログ混合ビームフォーミングを示す。
【図４】図４は、本開示の端末側の実施例１のダウンリンクビーム訓練方法のフローチャートである。
【図５】図５は、本開示の端末側の実施例２のダウンリンクビーム訓練方法のフローチャートである。
【図６】図６は、本開示の端末側の実施例３のダウンリンクビーム訓練方法のフローチャートである。
【図７】図７は、端末がダウンリンク受信ビーム訓練トリガー通知メッセージとダウンリンク受信ビーム訓練信号を受信する典型例を示す。
【図８】図８は、端末がダウンリンク受信ビーム訓練トリガー通知メッセージとダウンリンク受信ビーム訓練信号を受信する別の典型例を示す。
【図９】図９は、本開示の端末のアーキテクチャを示す。
【図１０】図１０は、本開示の基地局側のダウンリンクビーム訓練方法のフローチャートである。
【発明を実施するための形態】
【００６４】
本開示の解決しようとする技術課題、技術手段および利点をより明確にするために、以下図面および具体的な実施例に関連して詳細に記載する。
【００６５】
本開示の実施例において、第１機器は、基地局または他のタイプの伝送ポイント機器であり、第２機器は、端末機器（または端末）であるが、もちろん、上記２種類の機器に限定されない。例えば、送信機器（例えば第１機器）は、他の端末に対する設定処理が可能な端末であってもよい。
【００６６】
基地局は、ＬＴＥシステムまたはその改良システムの改良型基地局ｅＮＢ（またはｅ−ＮｏｄｅＢ（Ｅｖｏｌｕｔｉｏｎａｌ  Ｎｏｄｅ  Ｂ））、マクロ基地局、マイクロ基地局（スモール基地局とも称される）、ピコ基地局、アクセスポイント（ＡＰ）（Ａｃｃｅｓｓ  Ｐｏｉｎｔ）または伝送ポイント（ＴＲＰ）（Ｔｒａｎｓｍｉｔ  ｏｒ  ｒｅｃｅｉｖｅ  ｐｏｉｎｔ）などであり、将来のネットワークにおける基地局であってもよく、例えば、５Ｇネットワークの基地局である。
【００６７】
端末は、ユーザ機器（ＵＥ）（Ｕｓｅｒ  Ｅｑｕｉｐｍｅｎｔ）、または、ターミナル（Ｔｅｒｍｉｎａｌ）、モバイルステーション（ＭＳ）（Ｍｏｂｉｌｅ  Ｓｔａｔｉｏｎ）、移動端末（Ｍｏｂｉｌｅ  Ｔｅｒｍｉｎａｌ）などと称される。当該端末は、無線アクセスネットワーク（ＲＡＮ）（Ｒａｄｉｏ  Ａｃｃｅｓｓ  Ｎｅｔｗｏｒｋ）を介して１つまたは複数のコアネットワークと通信可能である。例えば、端末は、移動電話（またはセルラー電話という）、移動端末を有するコンピュータなどであってもよい。例えば、端末は、携帯式、ポータブル式、ハンドヘルド式、コンピュータ内蔵型または車載型の移動装置であり、無線アクセスネットワークとの間で音声および／またはデータのやり取りをする。
【００６８】
なお、本開示の実施例において、ダウンリンクデータは、通信システムでのＰＤＳＣＨなどのチャネルにて運ばれるダウンリンクデータに限定されない。基地局から送信されるすべてのありうるダウンリンク信号であってもよく、ダウンリンクデータ信号またはダウンリンク制御信号などが含まれる。
【００６９】
本開示の実施例の端末は、Ｄ２Ｄ（Ｄｅｖｉｃｅ  ｔｏ  Ｄｅｖｉｃｅ）端末またはＭ２Ｍ（Ｍａｃｈｉｎｅ  ｔｏ  Ｍａｃｈｉｎｅ）端末であってもよい。
【００７０】
記載しやすくするために、以下の実施例は、基地局を第１機器、端末を第２機器とする例で説明する。
実施例１
【００７１】
図４に示すように、本開示の実施例１のダウンリンクビーム訓練方法は、下記ステップを含む。
【００７２】
ステップ４１において、基地局から送信されるダウンリンク受信ビーム訓練トリガー通知メッセージを受信する。
【００７３】
具体的に、ダウンリンク制御情報（ＤＣＩ）または専用のトリガーシグナリングまたは他の情報ブロックによって、基地局から送信されるダウンリンク受信ビーム訓練トリガー通知メッセージを受信する。当該ＤＣＩは、アップリンクアクセス許可ＤＣＩであってもよく、ダウンリンクアクセス許可ＤＣＩであってもよい。
【００７４】
また、ダウンリンク受信ビームトリガー通知メッセージは、Ａ）ダウンリンク受信ビーム訓練信号が存在するかの指示情報、および／または、Ｂ）ダウンリンク受信訓練信号の時間／周波数位置を含むが、それらに限定されない。Ｂ）の場合、例えば、占用されるＯＦＤＭシンボル、開始時間などである。
【００７５】
ステップ４２において、前記ダウンリンク受信ビーム訓練トリガー通知メッセージに基づいて、前記基地局から送信されるダウンリンク受信ビーム訓練信号を受信し、ダウンリンク受信ビーム訓練を行う。
【００７６】
具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信する。さらに、ダウンリンク受信ビーム訓練信号は、ダウンリンク送信ビームのビームフォーミング重み値でフォーミングした後に送信される。
【００７７】
当該基地局のダウンリンク送信ビームは、下記方式で特定される。すなわち、基地局は、端末から前記基地局に報告される前記基地局のダウンリンク送信ビームの訓練結果情報に基づいて特定する。前記訓練結果情報は、端末に薦められる前記基地局のダウンリンク送信ビームの識別子、および／または、端末によって測定した前記基地局のダウンリンク送信ビーム訓練信号強度情報を含む。
【００７８】
例えば、基地局は、端末から報告され、端末に薦められるダウンリンク送信ビームの一部またはすべてを、ダウンリンク送信ビームとして特定する。
【００７９】
また、例えば、基地局は、端末から報告されるダウンリンク送信ビーム訓練結果情報に基づいて、当該端末への１つまたは複数のビームを特定する。
【００８０】
ダウンリンク送信ビームは、端末に薦められるダウンリンク送信ビームの角度範囲、または、端末に薦められるダウンリンク送信ビームよりわずかに低い角度範囲などを含む。
【００８１】
端末から報告される前記基地局のダウンリンク送信ビームの訓練結果情報は、薦められるダウンリンク送信ビームの識別子、例えばダウンリンク送信ビームの番号を含み、さらに、端末が受信したダウンリンク送信ビーム訓練信号強度情報、例えば受信信号電力レベルなどを含む。
【００８２】
ここで、ダウンリンク受信ビーム訓練を行うステップは、さらに、第２機器が、訓練されるダウンリンク受信ビームでＡＧＣ（自動ゲイン制御）の調整を行うことを含む。
【００８３】
本開示の実施例において、基地局から送信されるダウンリンク受信ビーム訓練トリガー通知メッセージを受信し、前記ダウンリンク受信ビーム訓練トリガー通知メッセージに基づいて、前記基地局から送信されるダウンリンク受信ビーム訓練信号を受信してダウンリンク受信ビーム訓練を行う。よって、端末は、基地局のトリガーメカニズムに基づいて、ダウンリンクビーム訓練を行う。
実施例２
【００８４】
図５に示すように、本開示の実施例２のダウンリンクビーム訓練方法は、下記ステップを含む。
【００８５】
ステップ５１において、基地局にダウンリンク受信ビーム訓練要求メッセージを送信する。端末は、端末のダウンリンク受信ビームの数または訓練すべきダウンリンク受信ビームの数を前記基地局に送信する。基地局は、当該ダウンリンク受信ビームの数または訓練すべきダウンリンク受信ビームの数に基づいて、ダウンリンク受信ビーム訓練信号の数を特定する。ここで、端末は、ダウンリンク受信ビーム訓練要求メッセージを基地局に送信すると同時に、端末のダウンリンク受信ビームの数または訓練すべきダウンリンク受信ビームの数を前記基地局に送信してもよく、ダウンリンク受信ビーム訓練要求メッセージのみを基地局に送信してもよく、端末のダウンリンク受信ビームの数または訓練すべきダウンリンク受信ビームの数のみを基地局に送信してもよい。
【００８６】
ステップ５２において、前記基地局から前記ダウンリンク受信ビーム訓練要求メッセージに基づいて送信されるダウンリンク受信ビーム訓練トリガー通知メッセージを受信する。
【００８７】
具体的に、ダウンリンク制御情報（ＤＣＩ）または専用のトリガーシグナリングまたは他の情報ブロックによって、基地局から端末に送信されるダウンリンク受信ビーム訓練トリガー通知メッセージを受信する。当該ＤＣＩは、アップリンクアクセス許可ＤＣＩであってもよく、ダウンリンクアクセス許可ＤＣＩであってもよい。
【００８８】
また、ダウンリンク受信ビームトリガー通知メッセージは、Ａ）ダウンリンク受信ビーム訓練信号が存在するかの指示情報、および／または、Ｂ）ダウンリンク受信訓練信号の時間／周波数位置を含むが、それらに限定されない。Ｂ）の場合、例えば、占用されるＯＦＤＭシンボル、開始時間などである。
【００８９】
ステップ５３において、前記ダウンリンク受信ビーム訓練トリガー通知メッセージに基づいて、前記基地局から送信されるダウンリンク受信ビーム訓練信号を受信し、ダウンリンク受信ビーム訓練を行う。
【００９０】
ここで、ダウンリンク受信ビーム訓練を行うステップは、さらに、第２機器が、訓練されるダウンリンク受信ビームでＡＧＣ（自動ゲイン制御）の調整を行うことを含む。
【００９１】
具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信する。さらに、ダウンリンク受信ビーム訓練信号は、ダウンリンク送信ビームのビームフォーミング重み値でフォーミングした後に送信される。
【００９２】
当該基地局のダウンリンク送信ビームは、下記方式で特定される。すなわち、基地局は、端末から前記基地局に報告される前記基地局のダウンリンク送信ビームの訓練結果情報に基づいて特定する。前記訓練結果情報は、端末に薦められる前記基地局のダウンリンク送信ビームの識別子、および／または、端末によって測定した前記基地局のダウンリンク送信ビーム訓練信号強度情報を含む。
【００９３】
例えば、基地局は、端末から報告され、端末に薦められるダウンリンク送信ビームの一部またはすべてを、ダウンリンク送信ビームとして特定する。
【００９４】
また、例えば、基地局は、１つまたは複数の端末から報告されるダウンリンク送信ビーム訓練結果情報に基づいて、当該１つまたは複数の端末への１つまたは複数のビームを特定する。
【００９５】
ダウンリンク送信ビームは、端末に薦められるダウンリンク送信ビームの角度範囲、または、端末に薦められるダウンリンク送信ビームよりわずかに低い角度範囲などを含む。
【００９６】
端末から報告されるダウンリンク送信ビームに関する情報は、薦められるダウンリンク送信ビームの識別子、例えばダウンリンク送信ビームの番号を含み、さらに、端末が受信したダウンリンク送信ビーム訓練信号強度情報、例えば受信信号電力レベルなどを含む。
【００９７】
上記実施例１と実施利２において、端末は、前記ダウンリンク受信ビーム訓練トリガー通知メッセージおよび前記ダウンリンク受信ビーム訓練信号のサブフレームにおける時間／周波数位置に基づいて、基地局から送信されるダウンリンク受信ビーム訓練信号を受信することができる。
【００９８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【００９９】
ここでダウンリンク受信ビーム訓練信号のサブフレームにおける時間／周波数位置は、端末と基地局によって取り決められ、または基地局によって特定される。
【０１００】
１つの実現形態として、ＯＦＤＭに基づくシステムにおいて、ダウンリンク受信ビーム訓練信号は、各サブフレームの前からＭ個のＯＦＤＭシンボルで伝送される。Ｍの値は、端末と基地局によって取り決められ、または基地局によって特定される。
【０１０１】
ダウンリンク受信ビーム訓練信号のサブフレームにおける時間／周波数位置が基地局によって特定される場合、基地局は、前記時間／周波数位置通知メッセージを端末に送信する。たとえば、基地局、ＤＣＩに運ばせたり、ダウンリンク受信ビーム訓練トリガーメッセージに運ばせたり、専用の時間／周波数位置通知シグナリングに運ばせたり、ほかのダウンリンクシグナリングに運ばせたりする。端末は、前記メッセージまたはシグナリングによって、ダウンリンク受信ビーム訓練信号のサブフレームにおける時間／周波数位置を取得する。
【０１０２】
本開示の当該実施例は、ダウンリンク受信ビーム訓練要求メッセージを基地局に送信し、基地局から端末に送信されるダウンリンク受信ビーム訓練トリガー通知メッセージを受信し、前記ダウンリンク受信ビーム訓練トリガー通知メッセージに基づいて、基地局から送信されるダウンリンク受信ビーム訓練信号を受信する。よって、端末は、基地局のトリガーメカニズムに基づいて、ダウンリンクビーム訓練を行う。
実施例３
【０１０３】
図６に示すように、本開示の実施例３のダウンリンクビーム訓練方法は、下記ステップを含む。
【０１０４】
ステップ６１において、基地局にダウンリンク受信ビーム訓練要求メッセージを送信する。当該ステップは、選択的に行われる。端末は、端末のダウンリンク受信ビームの数または訓練すべきダウンリンク受信ビームの数を前記基地局に送信する。基地局は、当該ダウンリンク受信ビームの数または訓練すべきダウンリンク受信ビームの数に基づいて、ダウンリンク受信ビーム訓練信号の数を特定する。ここで、端末は、ダウンリンク受信ビーム訓練要求メッセージを基地局に送信すると同時に、端末のダウンリンク受信ビームの数または訓練すべきダウンリンク受信ビームの数を前記基地局に送信してもよく、ダウンリンク受信ビーム訓練要求メッセージのみを基地局に送信してもよく、端末のダウンリンク受信ビームの数または訓練すべきダウンリンク受信ビームの数のみを基地局に送信してもよい。
【０１０５】
ステップ６２において、前記基地局から前記ダウンリンク受信ビーム訓練要求メッセージに基づいて送信されるダウンリンク受信ビーム訓練トリガー通知メッセージを受信する。
【０１０６】
ステップ６３において、前記ダウンリンク受信ビーム訓練トリガー通知メッセージに基づいて、前記基地局から送信されるダウンリンク受信ビーム訓練信号を受信する。
【０１０７】
ステップ６４において、前記ダウンリンク受信ビーム訓練信号に基づいて、ダウンリンク受信ビーム訓練を行うことによって、ダウンリンク受信ビームを特定する。基地局から送信されるダウンリンクデータを受信するダウンリンク受信ビームを特定することが好ましい。
【０１０８】
ここで、ダウンリンク受信ビーム訓練を行うステップは、さらに、第２機器が、訓練されるダウンリンク受信ビームでＡＧＣ（自動ゲイン制御）の調整を行うことを含む。
【０１０９】
さらに、当該ステップ６４は、特定済みの前記ダウンリンク受信ビームに基づいて、基地局から送信されるダウンリンクデータを受信するステップ６５をさらに含む。
【０１１０】
ここで、ステップ６４において、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定する。
【０１１１】
ここで、前記ダウンリンク受信ビーム訓練トリガー通知メッセージの発効時点は、前記ダウンリンク受信ビーム訓練トリガー通知メッセージの受信時点＋時間間隔である。言い換えれば、発効時点は、ダウンリンク受信ビーム訓練トリガー通知メッセージの受信時点に時間間隔を加えた時点である。前記時間間隔は、０でありまたは０より大きい。
【０１１２】
前記時間間隔は、プロトコルで取り決められるか、端末と基地局によって事前に取り決められるか、基地局によって特定される。
【０１１３】
基地局によって特定される場合、基地局から時間間隔通知シグナリングによって端末に送信される。または、時間間隔は、前記ダウンリンク受信ビーム訓練トリガー通知メッセージから取得される。もちろん、本実施例では、ほかのダウンリンク情報ブロックで時間間隔を運ぶことが制限されない。前記時間間隔通知シグナリングは、時間間隔に関する情報を含む。端末は、前記情報またはシグナリングから前記時間間隔を取得する。
【０１１４】
端末は、前記時間間隔から、ダウンリンク受信ビーム訓練の開始時刻を取得することができる。
【０１１５】
端末は、ダウンリンク受信ビーム訓練トリガー通知メッセージの発効時点が、ダウンリンク受信ビーム訓練トリガー通知メッセージの受信時点＋時間間隔であるとする。当該時間間隔は、一定であるか、基地局から通知される（たとえばダウンリンク受信ビームトリガー通知メッセージにて運ばれたり、ダウンリンク受信ビームトリガー通知メッセージのダウンリンク受信訓練信号の時間／周波数位置から取得される。たとえば、基地局から、ＤＣＩに運ばせたり、専用の時間／周波数位置通知シグナリングに運ばせたり、ほかのダウンリンクシグナリングに運ばせたりする）。
【０１１６】
たとえば、端末が第ｎ個のサブフレームでダウンリンク受信ビームトリガーシグナリングを受信すると、ダウンリンク受信ビーム訓練信号は、第ｎ＋ｍ個のサブフレームに位置する。ｍは、一定の値であり（たとえばｍ＝４）、または、トリガー通知メッセージまたは時間間隔やダウンリンク受信ビーム訓練シーケンス位置通知シグナリングが運ばれるほかのメッセージにて運ばれる。ｍ＝０は、訓練信号とトリガーメッセージが同一サブフレームに位置することを意味する。
【０１１７】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１１８】
また、ステップ６４において、ダウンリンク受信ビーム訓練トリガー通知メッセージの発効後にダウンリンク受信ビーム訓練を行う。
【０１１９】
ケース１：端末は、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択する。
【０１２０】
ケース２：端末は、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択する。
【０１２１】
端末のダウンリンク受信ビーム訓練は、１つの時刻で複数のダウンリンク受信ビーム受信を限定しない。たとえば端末は、１つの時刻で、１つの受信ビームのみで訓練シーケンスを受信してもよく、同一時刻で複数の受信ビームで同時に訓練シーケンスを受信してもよいが、本開示では限定されない。
【０１２２】
端末のダウンリンク受信ビーム訓練は、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとする。ここで、ナロー受信ビームは、ワイド受信ビームのカバレッジを含み、または、ナロー受信ビームのカバレッジは、ワイド受信ビームのカバレッジよりわずかに大きい。
【０１２３】
選択可能に、ダウンリンク受信ビームの訓練は、ダウンリンク送信ビームの訓練と同時に行われる。
【０１２４】
選択可能に、ダウンリンク受信ビームの訓練は、ダウンリンク送信ビームの訓練と交代に行われる。
【０１２５】
図７は、端末がダウンリンク受信ビーム訓練トリガー通知メッセージとダウンリンク受信ビーム訓練信号を受信する典型例を示す。
【０１２６】
図７では、ダウンリンク受信ビームのトリガーメッセージとダウンリンク受信ビーム訓練信号とは、同一サブフレームに位置し、ダウンリンク送信ビーム訓練信号の後に、基地局から端末にダウンリンクデータを送信し、端末が、当該基地局から送信されるダウンリンクデータを受信する。ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１２７】
ダウンリンクデータとダウンリンク受信ビーム訓練信号は、同一のダウンリンク送信ビームで伝送されてもよい。このように、端末は、ダウンリンク受信ビーム訓練信号を受信することによって最適なダウンリンク受信ビームを取得すると、当該ビームでデータを受信することができる。
【０１２８】
図８は、端末がダウンリンク受信ビーム訓練トリガー通知メッセージとダウンリンク受信ビーム訓練信号を受信する別の典型例を示す。
【０１２９】
１つのサブフレームでは（当該端末に対する）データ伝送が行われず、ダウンリンク制御シグナリングの後は、すべてダウンリンク受信ビーム訓練信号である。ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１３０】
端末は、ダウンリンク受信ビーム訓練信号を受信することによって最適なダウンリンク受信ビームを取得した後に、当該ビームの重み値を保存して後のダウンリンクデータ受信に用いる。
【０１３１】
本開示の上記ダウンリンクビーム訓練方法は、アナログとデジタルアナログ混合のビームフォーミングに適用するとともに、デジタルビームフォーミングにも適用し、トリガーに基づくダウンリンク受信ビーム訓練を実現することもできる。
実施例４
【０１３２】
本開示の実施例４のダウンリンクビーム訓練装置は、基地局から送信されるダウンリンク受信ビーム訓練トリガー通知メッセージを受信することに用いられる受信モジュールと、前記ダウンリンク受信ビーム訓練トリガー通知メッセージに基づいて、前記基地局から送信されるダウンリンク受信ビーム訓練信号を受信してダウンリンク受信ビーム訓練を行うことに用いられる訓練モジュールとを含む。
【０１３３】
ダウンリンクビーム訓練装置は、基地局にダウンリンク受信ビーム訓練要求メッセージを送信することに用いられる第１送信モジュールをさらに含む。
【０１３４】
ダウンリンクビーム訓練装置は、端末のダウンリンク受信ビームの数または訓練すべきダウンリンク受信ビームの数を前記基地局に送信することに用いられる第２送信モジュールをさらに含む。
【０１３５】
前記受信モジュールは、具体的に、ダウンリンク制御情報ＤＣＩまたは専用のトリガーシグナリングまたはほかのダウンリンク情報ブロックによって、基地局から端末に送信されるダウンリンク受信ビーム訓練トリガー通知メッセージを受信することに用いられる。
【０１３６】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１３７】
前記訓練モジュールは、具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信することに用いられる。
【０１３８】
ダウンリンクビーム訓練装置は、前記基地局のダウンリンク送信ビームの訓練結果情報を前記基地局に報告することに用いられる第３送信モジュールをさらに含む。
【０１３９】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１４０】
前記訓練モジュールは、具体的に、前記ダウンリンク受信ビーム訓練トリガー通知メッセージ、および、前記ダウンリンク受信ビーム訓練信号のサブフレームにおける時間／周波数位置に基づいて、基地局から送信されるダウンリンク受信ビーム訓練信号を受信することに用いられる。
【０１４１】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１４２】
ダウンリンク受信ビーム訓練信号のサブフレームにおける時間／周波数位置は、端末と基地局によって取り決められ、または、基地局によって特定される。
【０１４３】
前記訓練モジュールは、具体的に、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定することに用いられる。
【０１４４】
前記ダウンリンク受信ビーム訓練トリガー通知メッセージの発効時点は、前記ダウンリンク受信ビーム訓練トリガー通知メッセージの受信時点＋時間間隔である。前記時間間隔は、端末と基地局によって取り決められまたは基地局によって特定される。
【０１４５】
前記訓練モジュールは、具体的に、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとすることに用いられる。
【０１４６】
前記受信モジュールは、さらに、特定済みの前記ダウンリンク受信ビームを用いて、基地局から送信されるダウンリンクデータを受信することに用いられる。
【０１４７】
ダウンリンクデータを受信する前記ダウンリンク受信ビームは、前記ダウンリンク受信ビーム訓練信号を受信する受信ビームとは同じである。
【０１４８】
なお、当該ダウンリンクビーム訓練装置の実施例は、上記方法に対応する装置である。上記方法のすべての実施例は、いずれも当該装置の実施例に適用し、同一の技術効果を奏することもできる。
実施例５
【０１４９】
図９に示すように、本開示の実施例５の端末は、受信機と、プロセッサとを含む。受信機は、基地局から送信されるダウンリンク受信ビーム訓練トリガー通知メッセージを受信することに用いられる。プロセッサは、訓練モジュールの機能を実現する。訓練モジュールは、前記ダウンリンク受信ビーム訓練トリガー通知メッセージに基づいて、前記基地局から送信されるダウンリンク受信ビーム訓練信号を受信してダウンリンク受信ビーム訓練を行うことに用いられる。
【０１５０】
端末は、基地局にダウンリンク受信ビーム訓練要求メッセージを送信することに用いられる送信機をさらに含む。
【０１５１】
前記送信機は、さらに、端末のダウンリンク受信ビームの数または訓練すべきダウンリンク受信ビームの数を前記基地局に送信することに用いられる。
【０１５２】
前記受信機は、具体的に、ダウンリンク制御情報ＤＣＩまたは専用のトリガーシグナリングによって、基地局から端末に送信されるダウンリンク受信ビーム訓練トリガー通知メッセージを受信することに用いられる。
【０１５３】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１５４】
前記訓練モジュールは、具体的に、前記ダウンリンク受信ビーム訓練トリガー通知メッセージに基づいて、前記基地局によって特定されたダウンリンク送信ビームで送信されるダウンリンク受信ビーム訓練信号を基地局から受信することに用いられる。
【０１５５】
前記送信機は、さらに、前記基地局のダウンリンク送信ビームの訓練結果情報を前記基地局に報告することに用いられる。
【０１５６】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１５７】
前記訓練モジュールは、具体的に、前記ダウンリンク受信ビーム訓練トリガー通知メッセージ、および、前記ダウンリンク受信ビーム訓練信号のサブフレームにおける時間／周波数位置に基づいて、基地局から送信されるダウンリンク受信ビーム訓練信号を受信することに用いられる。
【０１５８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１５９】
ダウンリンク受信ビーム訓練信号のサブフレームにおける時間／周波数位置は、端末と基地局によって取り決められ、または、基地局によって特定される。
【０１６０】
前記訓練モジュールは、具体的に、前記ダウンリンク受信ビーム訓練信号に基づいて、ダウンリンク受信ビーム訓練トリガー通知メッセージの発効後にダウンリンク受信ビーム訓練を行い、ダウンリンク受信ビームを特定することに用いられる。
【０１６１】
前記ダウンリンク受信ビーム訓練トリガー通知メッセージの発効時点は、前記ダウンリンク受信ビーム訓練トリガー通知メッセージの受信時点＋時間間隔である。前記時間間隔は、端末と基地局によって取り決められまたは基地局によって特定される。
【０１６２】
前記訓練モジュールは、具体的に、異なるダウンリンク受信ビームでダウンリンク受信ビーム訓練信号を受信し、最大受信信号電力のダウンリンク受信ビームを、前記基地局から送信されるダウンリンクデータを受信することに用いられるダウンリンク受信ビームとして選択すること、または、異なるダウンリンク受信ビームでダウンリンク受信ビーム訓練信号を受信してチャネル推定を行い、チャネル推定結果に基づいて、最大受信信号電力のダウンリンク受信ビームを、前記基地局から送信されるダウンリンクデータを受信することに用いられるダウンリンク受信ビームとして選択すること、または、まずワイドダウンリンク受信ビームで訓練してから、ナローダウンリンク受信ビームで訓練し、最適なナローダウンリンク受信ビームを特定して、基地局から送信されるダウンリンクデータを受信するダウンリンク受信ビームとすることに用いられる。
【０１６３】
端末の前記受信モジュールは、さらに、特定済みの前記ダウンリンク受信ビームを用いて、基地局から送信されるダウンリンクデータを受信することに用いられる。
【０１６４】
ダウンリンクデータを受信する前記ダウンリンク受信ビームは、前記ダウンリンク受信ビーム訓練信号を受信する受信ビームとは同じである。
【０１６５】
本開示の当該実施例において、プロセッサは、バスインタフェースを介してメモリに接続し、かつバスインタフェースを介して受信機または送信機に接続する。前記メモリは、前記プロセッサによる操作実行に用いられるプログラムとデータを記憶することに用いられる。バスインタフェースは、バスアーキテクチャに含まれる任意数の相互接続するバスとブリッジのインタフェースであり、具体的に、プロセッサをはじめとする１つ又は複数のプロセッサとメモリをはじめとするメモリの各種類の回路を接続する。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。受信機または送信機は、複数の部品であってもよく、伝送媒体でほかの各種類の装置と通信するユニットとして提供される。
【０１６６】
本開示の当該実施例は、同様に、トリガーに基づくダウンリンク受信ビーム訓練を実現することができる。
実施例６
【０１６７】
図１０に示すように、本開示の実施例６のダウンリンクビーム訓練方法は、下記ステップを含む。
【０１６８】
ステップ７１において、ダウンリンク受信ビーム訓練トリガー通知メッセージを端末に送信する。
【０１６９】
さらに、当該ステップの前に、端末から送信されるダウンリンク受信ビーム訓練要求メッセージを受信することをさらに含む。さらに、基地局は、端末から送信されるダウンリンク受信ビーム訓練要求メッセージに基づいて、端末に対しダウンリンク受信ビーム訓練を行うと特定する。
【０１７０】
当該ステップの前に、端末から送信されるダウンリンク受信ビームの数または訓練すべきダウンリンク受信ビームの数を受信することをさらに含む。よって、端末から送信されるダウンリンク受信ビームの数または訓練すべきダウンリンク受信ビームの数に基づいて、ダウンリンク受信ビーム訓練信号の数を特定することができる。
【０１７１】
具体的に、ダウンリンク制御情報ＤＣＩまたは専用のシグナリングまたはほかのダウンリンク情報ブロックによって、前記ダウンリンク受信ビーム訓練トリガー通知メッセージを端末に送信する。
【０１７２】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１７３】
ステップ７２において、ダウンリンク受信ビーム訓練信号を端末に送信する。
【０１７４】
具体的に、基地局は、ダウンリンク送信ビームを特定し、ダウンリンク送信ビームのビームフォーミング重み値を用いてダウンリンク送信ビーム訓練信号をフォーミングした後に、端末に送信する。
【０１７５】
当該ステップの前に、基地局は、端末から報告される基地局のダウンリンク送信ビームの訓練結果情報を受信することをさらに含む。前記訓練結果情報は、端末に薦められる前記基地局のダウンリンク送信ビームの識別子、および／または、端末によって測定した前記基地局の訓練用のダウンリンク送信ビームの電力強度情報を含む。基地局は、前記訓練結果情報に基づいて、前記ダウンリンク送信ビームを特定することができる。
【０１７６】
端末に送信されるダウンリンク受信ビーム訓練信号のサブフレームにおける時間／周波数位置は、プロトコルで取り決められるか、端末と基地局によって取り決められるか、基地局によって特定される。
【０１７７】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１７８】
ダウンリンク受信ビーム訓練信号のサブフレームにおける時間／周波数位置が、プロトコルで取り決められ、または端末と基地局によって取り決められる場合、取り決められた時間／周波数位置は、端末と取り決められた各サブフレームの前からＭ（正整数）個のＯＦＤＭシンボルを含む。
【０１７９】
端末に送信されるダウンリンク受信ビーム訓練信号のサブフレームにおける時間／周波数位置が基地局によって特定される場合、基地局は、前記時間／周波数位置通知メッセージを端末に送信する。前記時間／周波数位置通知メッセージは、ＤＣＩにて運ばれたり、ダウンリンク受信ビーム訓練トリガー通知メッセージにて運ばれたり、ほかのダウンリンクシグナリングにて運ばれたりする。例えば、基地局は、ダウンリンク受信ビーム訓練信号がサブフレームの前からＭ個のＯＦＤＭシンボルに位置すると特定し、Ｍの値である時間／周波数位置通知メッセージを端末に送信する。
【０１８０】
さらに、端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０１８１】
前記時間間隔が基地局によって特定される場合、基地局から端末に前記時間間隔通知メッセージを送信する。前記時間間隔通知メッセージは、ＤＣＩにて運ばれたり、ダウンリンク受信ビーム訓練トリガー通知メッセージにて運ばれたり、ほかのダウンリンクシグナリングにて運ばれたりする。例えば、端末が第ｎ個のサブフレームでダウンリンク受信ビームトリガーシグナリングを受信すると、ダウンリンク受信ビーム訓練信号は、第ｎ＋ｍ個のサブフレームに位置する。ｍは、一定の値であり（たとえばｍ＝４）、または、トリガー通知メッセージまたは時間間隔やダウンリンク受信ビーム訓練シーケンス位置に関する通知シグナリングが運ばれるメッセージにて運ばれる。
【０１８２】
本開示の当該実施例は、上記ステップ７１と７２を含むほか、さらに、ダウンリンクデータを送信することに用いられるダウンリンク送信ビームでダウンリンクデータを端末に送信するステップ７３を含む。
【０１８３】
本開示の当該実施例は、アナログとデジタルアナログ混合のビームフォーミングに適用するとともに、デジタルビームフォーミングにも適用し、トリガーに基づくダウンリンク受信ビーム訓練を実現することもできる。
実施例７
【０１８４】
本開示の実施例７のダウンリンクビーム訓練装置は、ダウンリンク受信ビーム訓練トリガー通知メッセージを端末に送信することに用いられる第１送信モジュールと、ダウンリンク受信ビーム訓練信号を端末に送信することに用いられる第２送信モジュールとを含む。
【０１８５】
ダウンリンクビーム訓練方法は、端末から送信されるダウンリンク受信ビーム訓練要求メッセージを受信することに用いられる第１受信モジュールをさらに含む。
【０１８６】
ダウンリンクビーム訓練装置は、端末から送信されるダウンリンク受信ビームの数または訓練すべきダウンリンク受信ビームの数を受信することに用いられる第２受信モジュールをさらに含む。
【０１８７】
前記第１送信モジュールは、具体的に、ダウンリンク制御情報ＤＣＩまたは専用のシグナリングまたはほかのダウンリンク情報ブロックによって、端末にダウンリンク受信ビーム訓練トリガー通知メッセージを送信することに用いられる。
【０１８８】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０１８９】
前記第２送信モジュールは、具体的に、ダウンリンク受信ビーム訓練信号に用いられるダウンリンク送信ビームを特定し、前記ダウンリンク送信ビームのビームフォーミング重み値を用いて前記ダウンリンク受信ビーム訓練信号をフォーミングした後に、端末に送信することに用いられる。
【０１９０】
前記第２送信モジュールは、ダウンリンク送信ビームを特定する際に、具体的に、端末から報告される基地局のダウンリンク送信ビームの訓練結果情報を受信し、前記訓練結果情報に基づいて、前記ダウンリンク受信ビーム訓練信号の送信に用いられるダウンリンク送信ビームを特定することに用いられる。
【０１９１】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０１９２】
前記ダウンリンク受信ビーム訓練信号に用いられるダウンリンク送信ビームは、基地局から端末に送信されるダウンリンク送信ビームとは同じである。
【０１９３】
端末に送信されるダウンリンク受信ビーム訓練信号のサブフレームにおける時間／周波数位置は、プロトコルで取り決められるか、端末と基地局によって取り決められるか、基地局によって特定される。
【０１９４】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０１９５】
端末に送信されるダウンリンク受信ビーム訓練信号のサブフレームにおける時間／周波数位置が基地局によって特定される場合、基地局から端末に前記時間／周波数位置通知メッセージを送信する。
【０１９６】
端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０１９７】
前記時間間隔が基地局によって特定される場合、基地局から端末に前記時間間隔通知メッセージを送信する。前記時間間隔は、ＤＣＩにて運ばれたり、ダウンリンク受信ビーム訓練トリガー通知メッセージにて運ばれたり、ほかのダウンリンクシグナリングにて運ばれたりする。
【０１９８】
なお、当該実施例は、上記の基地局側のダウンリンクビーム訓練方法に対応する装置である。上記の方法実施例におけるすべての実現方式は、いずれも当該装置の実施例に適用し、同一の技術効果を奏することもできる。
実施例８
【０１９９】
本開示の実施例８の基地局は、ダウンリンク受信ビーム訓練トリガー通知メッセージを端末に送信し、ダウンリンク受信ビーム訓練信号を端末に送信することに用いられる送信機を含む。
【０２００】
基地局は、端末から送信されるダウンリンク受信ビーム訓練要求メッセージを受信することに用いられる受信機をさらに含む。前記受信機は、端末から送信されるダウンリンク受信ビームの数または訓練すべきダウンリンク受信ビームの数を受信することに用いられる。
【０２０１】
前記送信機は、ダウンリンク制御情報ＤＣＩまたは専用のシグナリングまたはほかのダウンリンク情報ブロックによって、ダウンリンク受信ビーム訓練トリガー通知メッセージを端末に送信する。
【０２０２】
前記ダウンリンク受信ビーム訓練トリガー通知メッセージは、ダウンリンク受信ビーム訓練信号が存在するかの指示情報、および／または、ダウンリンク受信ビーム訓練信号の時間／周波数位置を含むが、それらに限定されない。
【０２０３】
前記送信機は、具体的に、ダウンリンク受信ビーム訓練信号に用いられるダウンリンク送信ビームを特定し、前記ダウンリンク送信ビームのビームフォーミング重み値を用いて前記ダウンリンク受信ビーム訓練信号をフォーミングした後に、端末に送信することに用いられる。
【０２０４】
前記送信機は、ダウンリンク送信ビームを特定する際に、具体的に、端末から報告される基地局のダウンリンク送信ビームの訓練結果情報を受信し、前記訓練結果情報に基づいて、前記ダウンリンク受信ビーム訓練信号の送信に用いられるダウンリンク送信ビームを特定することに用いられる。
【０２０５】
前記訓練結果情報は、端末に薦められる前記基地局のダウンリンク送信ビームの識別子、および／または、端末によって測定した前記基地局のダウンリンク送信ビーム訓練信号強度情報を含むが、それらに限定されない。
【０２０６】
前記ダウンリンク受信ビーム訓練信号に用いられるダウンリンク送信ビームは、基地局から端末に送信されるダウンリンク送信ビームとは同じである。
【０２０７】
端末に送信されるダウンリンク受信ビーム訓練信号のサブフレームにおける時間／周波数位置は、プロトコルで取り決められるか、端末と基地局によって取り決められるか、基地局によって特定される。
【０２０８】
ここのサブフレームは、ＬＴＥシステムのサブフレームであってもよく、ＬＴＥシステムのフレームやほかの時間ユニットであってもよく、ほかのシステムの時間ユニットであってもよいが、ここで限定されない。
【０２０９】
端末に送信されるダウンリンク受信ビーム訓練信号のサブフレームにおける時間／周波数位置が基地局によって特定される場合、基地局から端末に前記時間／周波数位置通知メッセージを送信する。
【０２１０】
端末にダウンリンク受信ビーム訓練信号を送信する時点は、ダウンリンク受信ビーム訓練トリガー通知メッセージの送信時点＋時間間隔である。前記時間間隔は、端末と基地局によって取り決められまたは基地局によって特定される。
【０２１１】
前記時間間隔が基地局によって特定される場合、基地局から端末に前記時間間隔通知メッセージを送信する。前記時間間隔通知メッセージは、ＤＣＩにて運ばれたり、ダウンリンク受信ビーム訓練トリガー通知メッセージにて運ばれたり、ほかのダウンリンクシグナリングにて運ばれたりする。
【０２１２】
本開示の当該実施例は、プロセッサをさらに含む。プロセッサは、バスインタフェースを介してメモリに接続し、かつバスインタフェースを介して前記送信機と受信機に接続する。メモリは、前記プロセッサによる操作実行に用いられるプログラムとデータを記憶することに用いられる。バスインタフェースは、バスアーキテクチャに含まれる任意数の相互接続するバスとブリッジのインタフェースであり、具体的に、プロセッサをはじめとする１つ又は複数のプロセッサとメモリをはじめとするメモリの各種類の回路を接続する。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。受信機または送信機は、複数の部品であってもよく、伝送媒体でほかの各種類の装置と通信するユニットとして提供される。
【０２１３】
本開示の当該実施例は、同様に、トリガーに基づくダウンリンク受信ビーム訓練を実現することができる。
【０２１４】
以上の記載は、本開示の好ましい実施形態である。なお、当業者にとって、本開示に記載した原理を逸脱することなくいくつかの改良や修飾を行うこともできる。これらの改良や修飾も、本開示の保護範囲として見なされるべきである。
【手続補正２】
【補正対象書類名】特許請求の範囲
【補正対象項目名】全文
【補正方法】変更
【補正の内容】
【特許請求の範囲】
【請求項１】
第１機器から送信されるダウンリンク受信ビーム訓練トリガー通知メッセージを受信するステップと、
前記ダウンリンク受信ビーム訓練トリガー通知メッセージに基づいて、前記第１機器から送信されるダウンリンク受信ビーム訓練信号を受信するステップと、
前記ダウンリンク受信ビーム訓練信号に基づいて、ダウンリンク受信ビームの訓練を行うステップとを含むダウンリンクビーム訓練方法。
【請求項２】
前記第１機器から送信される前記ダウンリンク受信ビーム訓練トリガー通知メッセージを受信する前に、
前記第１機器にダウンリンク受信ビーム訓練要求メッセージを送信するステップをさらに含み、および／または、
前記ダウンリンク受信ビーム訓練トリガー通知メッセージに基づいて、前記第１機器から送信される前記ダウンリンク受信ビーム訓練信号を受信するステップの前に、
第２機器のダウンリンク受信ビームの数または訓練すべきダウンリンク受信ビームの数を前記第１機器に送信するステップをさらに含む請求項１に記載のダウンリンクビーム訓練方法。
【請求項３】
前記第１機器から第２機器に送信される前記ダウンリンク受信ビーム訓練トリガー通知メッセージを受信するステップは、
ダウンリンク制御情報ＤＣＩまたは専用のトリガーシグナリングによって、前記第１機器から送信される前記ダウンリンク受信ビーム訓練トリガー通知メッセージを受信することを含む請求項１に記載のダウンリンクビーム訓練方法。
【請求項４】
前記ダウンリンク受信ビーム訓練トリガー通知メッセージは、
前記ダウンリンク受信ビーム訓練信号が存在するかの指示情報、および／または、前記ダウンリンク受信ビーム訓練信号の時間／周波数位置を含む請求項１に記載のダウンリンクビーム訓練方法。
【請求項５】
前記ダウンリンク受信ビーム訓練トリガー通知メッセージに基づいて、前記第１機器から送信される前記ダウンリンク受信ビーム訓練信号を受信するステップは、
前記ダウンリンク受信ビーム訓練トリガー通知メッセージに基づいて、前記第１機器によって特定されたダウンリンク送信ビームで送信される前記ダウンリンク受信ビーム訓練信号を前記第１機器から受信することを含み、および／または、
前記ダウンリンク受信ビーム訓練トリガー通知メッセージに基づいて、前記第１機器から送信される前記ダウンリンク受信ビーム訓練信号を受信するステップは、
前記ダウンリンク受信ビーム訓練トリガー通知メッセージ、および、前記ダウンリンク受信ビーム訓練信号のサブフレームにおける時間／周波数位置に基づいて、前記第１機器から送信される前記ダウンリンク受信ビーム訓練信号を受信することを含む請求項１に記載のダウンリンクビーム訓練方法。
【請求項６】
前記ダウンリンク受信ビーム訓練信号に基づいて、ダウンリンク受信ビームの訓練を行うステップは、
前記ダウンリンク受信ビーム訓練信号に基づいて、前記ダウンリンク受信ビーム訓練トリガー通知メッセージの発効後にダウンリンク受信ビームの訓練を行い、前記第１機器から送信されるダウンリンクデータを受信することに用いられるダウンリンク受信ビームを特定するステップを含み、
前記ダウンリンク受信ビーム訓練トリガー通知メッセージの発効時点は、
前記ダウンリンク受信ビーム訓練トリガー通知メッセージの受信時点に、第２機器と前記第１機器によって取り決められまたは前記第１機器によって特定される時間間隔を加えた時点であり、および／または、
前記第１機器から送信されるダウンリンクデータを受信することに用いられるダウンリンク受信ビームを特定するステップは、
異なるダウンリンク受信ビームで前記ダウンリンク受信ビーム訓練信号を受信し、最大受信信号電力のダウンリンク受信ビームを、前記第１機器から送信されるダウンリンクデータを受信することに用いられるダウンリンク受信ビームとして選択すること、または、
異なるダウンリンク受信ビームで前記ダウンリンク受信ビーム訓練信号を受信してチャネル推定を行い、チャネル推定結果に基づいて、最大受信信号電力のダウンリンク受信ビームを、前記第１機器から送信されるダウンリンクデータを受信することに用いられるダウンリンク受信ビームとして選択することを含み、および／または、
前記第１機器から送信されるダウンリンクデータを受信することに用いられるダウンリンク受信ビームを特定した後に、
特定済みの前記ダウンリンク受信ビームを用いて、前記第１機器から送信されるダウンリンクデータを受信することをさらに含む請求項１に記載のダウンリンクビーム訓練方法。
【請求項７】
第１機器から送信されるダウンリンク受信ビーム訓練トリガー通知メッセージを受信することに用いられる受信モジュールと、
前記ダウンリンク受信ビーム訓練トリガー通知メッセージに基づいて、前記第１機器から送信されるダウンリンク受信ビーム訓練信号を受信し、前記ダウンリンク受信ビーム訓練信号に基づいて、ダウンリンク受信ビームの訓練を行うことに用いられる訓練モジュールとを含むダウンリンクビーム訓練装置。
【請求項８】
前記第１機器にダウンリンク受信ビーム訓練要求メッセージを送信することに用いられる第１送信モジュールをさらに含み、および／または、
第２機器のダウンリンク受信ビームの数または訓練すべきダウンリンク受信ビームの数を前記第１機器に送信することに用いられる第２送信モジュールをさらに含む請求項７に記載のダウンリンクビーム訓練装置。
【請求項９】
ダウンリンク受信ビーム訓練トリガー通知メッセージを第２機器に送信するステップと、
前記第２機器にダウンリンク受信ビーム訓練信号を送信するステップを含み、
前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられるダウンリンクビーム訓練方法。
【請求項１０】
前記ダウンリンク受信ビーム訓練トリガー通知メッセージを第２機器に送信する前に、
前記第２機器から送信されるダウンリンク受信ビーム訓練要求メッセージを受信することをさらに含み、および／または、
前記第２機器に前記ダウンリンク受信ビーム訓練信号を送信する前に、
前記第２機器から送信されるダウンリンク受信ビームの数または訓練すべきダウンリンク受信ビームの数を受信することをさらに含む請求項９に記載のダウンリンクビーム訓練方法。
【請求項１１】
前記ダウンリンク受信ビーム訓練トリガー通知メッセージを前記第２機器に送信するステップは、
ダウンリンク制御情報ＤＣＩまたは専用のシグナリングによって、前記第２機器に前記ダウンリンク受信ビーム訓練トリガー通知メッセージを送信することを含む請求項９に記載のダウンリンクビーム訓練方法。
【請求項１２】
前記ダウンリンク受信ビーム訓練トリガー通知メッセージは、
前記ダウンリンク受信ビーム訓練信号が存在するかの指示情報、および／または、前記ダウンリンク受信ビーム訓練信号の時間／周波数位置を含む請求項９に記載のダウンリンクビーム訓練方法。
【請求項１３】
前記第２機器に前記ダウンリンク受信ビーム訓練信号を送信するステップは、
前記ダウンリンク受信ビーム訓練信号に用いられるダウンリンク送信ビームを特定するステップと、
前記ダウンリンク送信ビームのビームフォーミング重み値を用いて前記ダウンリンク受信ビーム訓練信号をフォーミングした後に、前記第２機器に前記ダウンリンク受信ビーム訓練信号を送信するステップとを含み、
前記ダウンリンク受信ビーム訓練信号に用いられる前記ダウンリンク送信ビームを特定するステップは、
前記第２機器から報告される第１機器のダウンリンク送信ビームの訓練結果情報を受信することと、
前記訓練結果情報に基づいて、前記ダウンリンク受信ビーム訓練信号の送信に用いられる前記ダウンリンク送信ビームを特定することとを含み、および／または、
前記ダウンリンク受信ビーム訓練信号に用いられるダウンリンク送信ビームは、第１機器からダウンリンクデータを前記第２機器に送信するダウンリンク送信ビームとは同じである請求項９に記載のダウンリンクビーム訓練方法。
【請求項１４】
ダウンリンク受信ビーム訓練トリガー通知メッセージを第２機器に送信することに用いられる第１送信モジュールと、
前記第２機器にダウンリンク受信ビーム訓練信号を送信することに用いられる第２送信モジュールとを含み、
前記ダウンリンク受信ビーム訓練トリガー通知メッセージは、前記第２機器による前記ダウンリンク受信ビーム訓練信号の受信をトリガーしてダウンリンク受信ビームの訓練を行うことに用いられるダウンリンクビーム訓練装置。
【請求項１５】
前記第２機器から送信されるダウンリンク受信ビーム訓練要求メッセージを受信することに用いられる第１受信モジュールをさらに含み、および／または、
前記第２機器から送信されるダウンリンク受信ビームの数または訓練すべきダウンリンク受信ビームの数を受信することに用いられる第２受信モジュールをさらに含む請求項１４に記載のダウンリンクビーム訓練装置。
【国際調査報告】
2019525610.tif 000013
2019525610.tif 000014
2019525610.tif 000015
2019525610.tif 000016